(57)【要約】  本願の実施例は、制御情報を伝送するための方法、ネットワークデバイス及び端末デバイスに関する。該方法は、端末デバイスの上り制御チャネルシーケンスの構成を決定することと、該上り制御チャネルシーケンスの構成に基づいて、上り制御チャネルシーケンスの少なくとも２つのサイクリックシフト値を決定することと、該少なくとも２つのサイクリックシフト値のうちの少なくとも１つを利用して、該端末デバイスにより送信されたＵＣＩを決定することとを含み、該上り制御チャネルシーケンスの構成は、初期サイクリックシフト値、サイクリックシフト差分値及びサイクリックシフト値の数のうちの少なくとも１つを含む。本願の実施例に係る制御情報を伝送するための方法において、ネットワークデバイス及び端末デバイスは、ＰＵＣＣＨの構成セットを減少させ、物理階層オーバーヘッドを減少させ、制限された物理階層指示オーバーヘッドの下でＰＵＣＣＨリソース構成の柔軟性を増加させることができる。
2021510023.tif 000002
【特許請求の範囲】
【請求項１】
端末デバイスの上り制御チャネルシーケンスの構成を決定することと、
前記上り制御チャネルシーケンスの構成に基づいて、前記上り制御チャネルシーケンスの少なくとも２つのサイクリックシフト値を決定することと、
前記少なくとも２つのサイクリックシフト値のうちの少なくとも１つを利用して、前記端末デバイスにより送信された上り制御情報を決定することとを含み、
前記上り制御チャネルシーケンスの構成が、初期サイクリックシフト値、サイクリックシフト差分値及びサイクリックシフト値の数のうちの少なくとも１つを含む
ことを特徴とする制御情報を伝送するための方法。
【請求項２】
前記端末デバイスの上り制御チャネルシーケンスの構成を決定した後、前記方法は、さらに、
前記端末デバイスに前記上り制御チャネルシーケンスの構成のうちの少なくとも１つを送信することを含む
ことを特徴とする請求項１に記載の制御情報を伝送するための方法。
【請求項３】
前記上り制御チャネルシーケンスの構成に基づいて、前記上り制御チャネルシーケンスの少なくとも２つのサイクリックシフト値を決定することは、
前記上り制御チャネルシーケンスの構成に基づいて、モジュロ演算により前記少なくとも２つのサイクリックシフト値を決定することを含む
ことを特徴とする請求項１又は２に記載の制御情報を伝送するための方法。
【請求項４】
2021510023.tif 000025
【請求項５】
前記上り制御チャネルシーケンスの構成は、さらに、ホッピングパラメータを含む
ことを特徴とする請求項３に記載の制御情報を伝送するための方法。
【請求項６】
2021510023.tif 000026
【請求項７】
前記端末デバイスの上り制御チャネルシーケンスの構成を決定することは、
前記端末デバイスからフィードバックされるデータブロックの数に基づいて、前記サイクリックシフト値の数及び／又は前記サイクリックシフト差分値を決定することを含む
ことを特徴とする請求項１〜６のいずれか１項に記載の制御情報を伝送するための方法。
【請求項８】
前記上り制御チャネルシーケンスが、制御情報が搬送されるシーケンスである
ことを特徴とする請求項１〜７のいずれか１項に記載の制御情報を伝送するための方法。
【請求項９】
前記少なくとも２つのサイクリックシフト値が前記上り制御情報の少なくとも２つの状態に一対一対応する
ことを特徴とする請求項１〜８のいずれか１項に記載の制御情報を伝送するための方法。
【請求項１０】
前記上り制御情報の前記少なくとも２つの状態が第１の状態を含み、前記初期サイクリックシフト値が前記第１の状態に対応する
ことを特徴とする請求項９に記載の制御情報を伝送するための方法。
【請求項１１】
上り制御チャネルシーケンスの構成を決定することと、
前記上り制御チャネルシーケンスの構成に基づいて、前記上り制御チャネルシーケンスの少なくとも２つのサイクリックシフト値を決定することと、
前記少なくとも２つのサイクリックシフト値のうちの少なくとも１つを利用して、ネットワークデバイスに上り制御情報を送信することとを含み、
前記上り制御チャネルシーケンスの構成が、初期サイクリックシフト値、サイクリックシフト差分値及びサイクリックシフト値の数のうちの少なくとも１つを含む
ことを特徴とする制御情報を伝送するための方法。
【請求項１２】
前記上り制御チャネルシーケンスの構成を決定することは、
前記ネットワークデバイスにより送信された前記上り制御チャネルシーケンスの構成を受信することを含む
ことを特徴とする請求項１１に記載の制御情報を伝送するための方法。
【請求項１３】
前記上り制御チャネルシーケンスの構成に基づいて、前記上り制御チャネルシーケンスの少なくとも２つのサイクリックシフト値を決定することは、
前記上り制御チャネルシーケンスの構成に基づいて、モジュロ演算により前記少なくとも２つのサイクリックシフト値を決定することを含む
ことを特徴とする請求項１１又は１２に記載の制御情報を伝送するための方法。
【請求項１４】
2021510023.tif 000027
【請求項１５】
前記上り制御チャネルシーケンスの構成は、さらに、ホッピングパラメータを含む
ことを特徴とする請求項１３に記載の制御情報を伝送するための方法。
【請求項１６】
2021510023.tif 000028
【請求項１７】
前記方法は、さらに、
フィードバックされたデータブロックの数に基づいて、前記サイクリックシフト差分値及び/又は前記サイクリックシフト値の数を決定することを含む
ことを特徴とする請求項１１〜１６のいずれか１項に記載の制御情報を伝送するための方法。
【請求項１８】
前記上り制御チャネルシーケンスが、制御情報が搬送されるシーケンスである
ことを特徴とする請求項１１〜１７のいずれか１項に記載の制御情報を伝送するための方法。
【請求項１９】
前記少なくとも２つのサイクリックシフト値が前記上り制御情報の少なくとも２つの状態に一対一対応する
ことを特徴とする請求項１１〜１８のいずれか１項に記載の制御情報を伝送するための方法。
【請求項２０】
前記上り制御情報の前記少なくとも２つの状態が第１の状態を含み、前記初期サイクリックシフト値が前記第１の状態に対応する
ことを特徴とする請求項１９に記載の制御情報を伝送するための方法。
【請求項２１】
決定ユニットを備えるネットワークデバイスであって、
前記決定ユニットは、端末デバイスの上り制御チャネルシーケンスの構成を決定するように構成され、前記上り制御チャネルシーケンスの構成が、初期サイクリックシフト値、サイクリックシフト差分値及びサイクリックシフト値の数のうちの少なくとも１つを含み、
前記決定ユニットは、さらに、前記上り制御チャネルシーケンスの構成に基づいて、前記上り制御チャネルシーケンスの少なくとも２つのサイクリックシフト値を決定するように構成され、
前記決定ユニットは、さらに、前記少なくとも２つのサイクリックシフト値のうちの少なくとも１つを利用して、前記端末デバイスにより送信された上り制御情報を決定するように構成される
ことを特徴とするネットワークデバイス。
【請求項２２】
前記ネットワークデバイスは、さらに、送信ユニットを含み、
前記送信ユニットは、前記決定ユニットが前記端末デバイスの前記上り制御チャネルシーケンスの構成を決定した後、前記端末デバイスに前記上り制御チャネルシーケンスの構成のうちの少なくとも１つを送信するように構成される
ことを特徴とする請求項２１に記載のネットワークデバイス。
【請求項２３】
前記決定ユニットは、
前記上り制御チャネルシーケンスの構成に基づいて、モジュロ演算により前記少なくとも２つのサイクリックシフト値を決定するように構成される
ことを特徴とする請求項２１又は２２に記載のネットワークデバイス。
【請求項２４】
2021510023.tif 000029
【請求項２５】
前記上り制御チャネルシーケンスの構成は、さらに、ホッピングパラメータを含む
ことを特徴とする請求項２３に記載のネットワークデバイス。
【請求項２６】
2021510023.tif 000030
【請求項２７】
前記決定ユニットは、
前記端末デバイスからフィードバックされるデータブロックの数に基づいて、前記サイクリックシフト値の数及び／又は前記サイクリックシフト差分値を決定するように構成される
ことを特徴とする請求項２１〜２６のいずれか１項に記載のネットワークデバイス。
【請求項２８】
前記上り制御チャネルシーケンスが、制御情報が搬送されるシーケンスである
ことを特徴とする請求項２１〜２７のいずれか１項に記載のネットワークデバイス。
【請求項２９】
前記少なくとも２つのサイクリックシフト値が前記上り制御情報の少なくとも２つの状態に一対一対応する
ことを特徴とする請求項２１〜２８のいずれか１項に記載のネットワークデバイス。
【請求項３０】
前記上り制御情報の前記少なくとも２つの状態が第１の状態を含み、前記初期サイクリックシフト値が前記第１の状態に対応する
ことを特徴とする請求項２９に記載のネットワークデバイス。
【請求項３１】
決定ユニットと送信ユニットとを備える端末デバイスであって、
前記決定ユニットは、上り制御チャネルシーケンスの構成を決定するように構成され、前記上り制御チャネルシーケンスの構成が、初期サイクリックシフト値、サイクリックシフト差分値及びサイクリックシフト値の数のうちの少なくとも１つを含み、
前記決定ユニットは、さらに、前記上り制御チャネルシーケンスの構成に基づいて、前記上り制御チャネルシーケンスの少なくとも２つのサイクリックシフト値を決定するように構成され、
送信ユニットは、前記少なくとも２つのサイクリックシフト値のうちの少なくとも１つを利用して、ネットワークデバイスに上り制御情報を送信するように構成される
ことを特徴とするネットワークデバイス。
【請求項３２】
前記端末デバイスは、さらに、受信ユニットを含み、
前記受信ユニットは、前記ネットワークデバイスにより送信された前記上り制御チャネルシーケンスの構成を受信するように構成される
ことを特徴とする請求項３１に記載のネットワークデバイス。
【請求項３３】
前記決定ユニットは、
前記上り制御チャネルシーケンスの構成に基づいて、モジュロ演算により前記少なくとも２つのサイクリックシフト値を決定するように構成される
ことを特徴とする請求項３１又は３２に記載のネットワークデバイス。
【請求項３４】
2021510023.tif 000031
【請求項３５】
前記上り制御チャネルシーケンスの構成は、さらに、ホッピングパラメータを含む
ことを特徴とする請求項３３に記載のネットワークデバイス。
【請求項３６】
2021510023.tif 000032
【請求項３７】
前記決定ユニットは、
フィードバックされたデータブロックの数に基づいて、前記サイクリックシフト差分値及び/又は前記サイクリックシフト値の数を決定するように構成される
ことを特徴とする請求項３１〜３６のいずれか１項に記載のネットワークデバイス。
【請求項３８】
前記上り制御チャネルシーケンスが、制御情報が搬送されるシーケンスである
ことを特徴とする請求項３１〜３７のいずれか１項に記載のネットワークデバイス。
【請求項３９】
前記少なくとも２つのサイクリックシフト値が前記上り制御情報の少なくとも２つの状態に一対一対応する
ことを特徴とする請求項３１〜３８のいずれか１項に記載のネットワークデバイス。
【請求項４０】
前記上り制御情報の前記少なくとも２つの状態が第１の状態を含み、前記初期サイクリックシフト値が前記第１の状態に対応する
ことを特徴とする請求項３９に記載のネットワークデバイス。
【発明の詳細な説明】
【技術分野】
【０００１】
本願は、通信分野に関し、特に、制御情報を伝送するための方法、ネットワークデバイス及び端末デバイスに関する。
【背景技術】
【０００２】
従来の新しいラジオ( ｎｅｗ ｒａｄｉｏ、ＮＲ )システムは、２種類の時間長の物理上り制御チャネル( Ｐｈｙｓｉｃａｌ ｕｐｌｉｎｋ ｃｏｎｔｒｏｌ ｃｈａｎｎｅｌ、ＰＵＣＣＨ )をサポートすることができ、それぞれショートＰＵＣＣＨ ( ｓｈｏｒｔ−ＰＵＣＣＨ )とロングＰＵＣＣＨ ( ｌｏｎｇ−ＰＵＣＣＨ )である。ショートＰＵＣＣＨは、一般に、１または２個の時間領域シンボルを含み、ロングＰＵＣＣＨは、４〜１４個の時間領域シンボルを含む。両方のタイプのＰＵＣＣＨは、２ビット以下および２ビットより大きい上り制御情報( ｕｐｌｉｎｋ ｃｏｎｔｒｏｌ ｉｎｆｏｒｍａｔｉｏｎ、ＵＣＩ )を搬送し得る。
【０００３】
ここで、２ビット以下のＵＣＩについては、通常、シーケンス指示の方法が採用される。例えば、１ビットを占有する確認/非確認( ＡＣＫ / ＮＡＣＫ )情報に対しては、同じシーケンスの２つのサイクリックシフトを用いて示され得るが、このサイクリックシフト値をどのように決定するかは、依然として、解決するべき問題である。
【発明の概要】
【０００４】
本願は、サイクリックシフト値を柔軟に構成することができる制御情報を伝送するための方法、ネットワークデバイス及び端末デバイスを提供する。
【０００５】
第１の態様は、制御情報を伝送するための方法を提供し、該方法は、端末デバイスの上り制御チャネルシーケンスの構成を決定することと、該上り制御チャネルシーケンスの構成に基づいて、上り制御チャネルシーケンスの少なくとも２つのサイクリックシフト値を決定することと、該少なくとも２つのサイクリックシフト値のうちの少なくとも１つを利用して、該端末デバイスにより送信されたＵＣＩを決定することとを含み、該上り制御チャネルシーケンスの構成は、初期サイクリックシフト値、サイクリックシフト差分値及びサイクリックシフト値の数のうちの少なくとも１つを含む。
【０００６】
そして、本願の実施例における制御情報を伝送するための方法において、ネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、端末デバイスにより送信されたＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０００７】
第１の態様と結合し、第１の態様の実現可能な方式において、該端末デバイスの上り制御チャネルシーケンスの構成を決定した後、該方法は、さらに、該端末デバイスに該上り制御チャネルシーケンスの構成のうちの少なくとも１つを送信することを含む。
【０００８】
第１の態様及び以上の実現可能な方式と結合し、第１の態様の実現可能な方式において、該該上り制御チャネルシーケンスの構成に基づいて、上り制御チャネルシーケンスの少なくとも２つのサイクリックシフト値を決定することは、該上り制御チャネルシーケンスの構成に基づいて、モジュロ演算により該少なくとも２つのサイクリックシフト値を決定することを含む。
【０００９】
2021510023.tif 000003
【００１０】
第１の態様及び以上の実現可能な方式と結合し、第１の態様の実現可能な方式において、該上り制御チャネルシーケンスの構成が、さらにホッピングパラメータを含む。
【００１１】
2021510023.tif 000004
【００１２】
第１の態様及び以上の実現可能な方式と結合し、第１の態様の実現可能な方式において、該端末デバイスの上り制御チャネルシーケンスの構成を決定することは、該端末デバイスからフィードバックされたデータブロックの数に基づいて、該サイクリックシフト値の数及び／又は該サイクリックシフト差分値を決定することを含む。
【００１３】
第１の態様及び以上の実現可能な方式と結合し、第１の態様の実現可能な方式において、該上り制御チャネルシーケンスは、制御情報が搬送されるシーケンスである。
【００１４】
第１の態様及び以上の実現可能な方式と結合し、第１の態様の実現可能な方式において、該少なくとも２つのサイクリックシフト値に基づいて、該端末デバイスにより送信されたＵＣＩを決定することは、端末デバイスにより送信された目標上り制御チャネルシーケンスを受信し、該少なくとも２つのサイクリックシフト値から目標上り制御チャネルシーケンスに対応する目標サイクリックシフト値を決定し、該目標サイクリックシフト値に基づいて、対応するＵＣＩを決定することを含む。
【００１５】
第１の態様及び以上の実現可能な方式と結合し、第１の態様の実現可能な方式において、該少なくとも２つのサイクリックシフト値は、該ＵＣＩの少なくとも２つの状態に一対一対応する。
【００１６】
任意選択で、該ＵＣＩの少なくとも２つの状態は、フィードバックする必要がある少なくとも１つデータブロックのＡＣＫ/ＮＡＣＫを含む。
【００１７】
第１の態様及び以上の実現可能な方式と結合し、第１の態様の実現可能な方式において、該目標サイクリックシフト値に基づいて、対応するＵＣＩを決定することは、該目標サイクリックシフト値に基づいて、対応するＵＣＩの目標状態を決定することを含む。
【００１８】
第１の態様及び以上の実現可能な方式と結合し、第１の態様の実現可能な方式において、該ＵＣＩの該少なくとも２つの状態が第１の状態を含み、該初期サイクリックシフト値が該第１の状態に対応する。
【００１９】
そして、本願の実施例における制御情報を伝送するための方法において、ネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、受信された端末デバイスからの上り制御チャネルシーケンスが示すＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００２０】
第２の態様は、制御情報を伝送するための方法を提供し、該方法は、上り制御チャネルシーケンスの構成を決定することと、Ｓ２２０において、該上り制御チャネルシーケンスの構成に基づいて、上り制御チャネルシーケンスの少なくとも２つのサイクリックシフト値を決定することと、Ｓ２３０において、該少なくとも２つのサイクリックシフト値のうちの少なくとも１つを利用して、ネットワークデバイスにＵＣＩを送信することとを含み、該上り制御チャネルシーケンスの構成は、初期サイクリックシフト値、サイクリックシフト差分値及びサイクリックシフト値の数のうちの少なくとも１つを含む。
【００２１】
そして、本願の実施例における制御情報を伝送するための方法において、端末デバイスが上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、送信する必要があるＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００２２】
第２の態様と結合し、第２の態様の実現可能な方式において、該上り制御チャネルシーケンスの構成を決定することは、該ネットワークデバイスにより送信された該上り制御チャネルシーケンスの構成を受信することを含む。
【００２３】
第２の態様及び以上の実現可能な方式と結合し、第２の態様の実現可能な方式において、該該上り制御チャネルシーケンスの構成に基づいて、上り制御チャネルシーケンスの少なくとも２つのサイクリックシフト値を決定することは、該上り制御チャネルシーケンスの構成に基づいて、モジュロ演算により該少なくとも２つのサイクリックシフト値を決定することを含む。
【００２４】
2021510023.tif 000005
【００２５】
第２の態様及び以上の実現可能な方式と結合し、第２の態様の実現可能な方式において、該上り制御チャネルシーケンスの構成が、さらにホッピングパラメータを含む。
【００２６】
2021510023.tif 000006
【００２７】
第２の態様及び以上の実現可能な方式と結合し、第２の態様の実現可能な方式において、該方法は、さらに、フィードバックされたデータブロックの数に基づいて、該サイクリックシフト差分値及び／又は該サイクリックシフト値の数を決定することを含む。
【００２８】
第２の態様及び以上の実現可能な方式と結合し、第２の態様の実現可能な方式において、該上り制御チャネルシーケンスは、制御情報が搬送されるシーケンスである。
【００２９】
第２の態様及び以上の実現可能な方式と結合し、第２の態様の実現可能な方式において、該少なくとも２つのサイクリックシフト値に基づいて、ネットワークデバイスにＵＣＩを送信することは、該少なくとも２つのサイクリックシフト値から、ＵＣＩに対応する目標サイクリックシフト値を決定し、該目標サイクリックシフト値により決定された対応する目標上り制御チャネルシーケンスに基づいて、該ネットワークデバイスに該目標上り制御チャネルシーケンスを送信することを含み、該目標上り制御チャネルシーケンスは、該ＵＣＩを示す。
【００３０】
第２の態様及び以上の実現可能な方式と結合し、第２の態様の実現可能な方式において、該少なくとも２つのサイクリックシフト値は、該ＵＣＩの少なくとも２つの状態に一対一対応する。
【００３１】
任意選択で、該ＵＣＩの少なくとも２つの状態は、フィードバックされる必要がある少なくとも１つデータブロックのＡＣＫ/ＮＡＣＫを含む。
【００３２】
第２の態様及び以上の実現可能な方式と結合し、第２の態様の実現可能な方式において、該少なくとも２つのサイクリックシフト値からＵＣＩに対応する目標サイクリックシフト値を決定することは、該少なくとも２つのサイクリックシフト値からＵＣＩの目標状態に対応する目標サイクリックシフト値を決定することを含み、該目標上り制御チャネルシーケンスは、該目標状態を示す。
【００３３】
第２の態様及び以上の実現可能な方式と結合し、第２の態様の実現可能な方式において、該ＵＣＩの該少なくとも２つの状態が第１の状態を含み、該初期サイクリックシフト値が該第１の状態に対応する。
【００３４】
そして、本願の実施例における制御情報を伝送するための方法において、端末デバイスが上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、送信する必要があるＵＣＩに対応する目標サイクリックシフト値を決定し、該目標サイクリックシフト値を利用して上り制御チャネルシーケンスを送信し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００３５】
第３の態様は、上記の第１の態様または第１の態様の任意の可能な実装における方法を実行するためのネットワークデバイスを提供する。具体的には、ネットワークデバイスは、上記の第１の態様または第１の態様の任意の可能な実装形態における方法を実行するためのユニットを含む。
【００３６】
第４の態様は、上記第２の態様または第２の態様の任意の可能な実装における方法を実行するための端末デバイスを提供する。具体的には、端末デバイスは、上記の第２の態様または第２の態様の任意の可能な実装形態における方法を実行するためのユニットを含む。
【００３７】
第５の態様は、記憶ユニットと、メモリに記憶された命令を実行するプロセッサとを備えるネットワークデバイスを提供し、プロセッサがメモリに記憶された命令を実行すると、プロセッサに第１の態様または第１の態様の可能な方式の方法を実行させる。
【００３８】
第６の態様は、記憶ユニットと、メモリに記憶された命令を実行するプロセッサとを備える端末デバイスを提供し、プロセッサがメモリに記憶された命令を実行すると、プロセッサに第２の態様または第２の態様の可能な方式の方法を実行させる。
【００３９】
第７の態様は、第１の態様または第１の態様の任意の可能な実装における方法を実行するための命令を含むコンピュータプログラムを記憶するためのコンピュータ可読媒体を提供する。
【００４０】
第８の態様は、第２の態様または第２の態様の可能な実施のいずれかにおける方法を実行するための命令を含むコンピュータプログラムを記憶するためのコンピュータ可読媒体を提供する。
【００４１】
第９の態様は、命令を備えるコンピュータプログラム製品を提供し、コンピュータが前記コンピュータプログラム製品を実行すると、前記コンピュータは、上記第１の態様または第１の態様の任意の可能な実装形態における制御情報を伝送する方法を実行する。具体的には、当該コンピュータプログラム製品は、上記第３の態様のネットワークデバイス上で動作することができる。
【００４２】
第１０の態様は、命令を備えるコンピュータプログラム製品を提供し、コンピュータが前記コンピュータプログラム製品を実行すると、前記コンピュータは、上記第２の態様または第２の態様の任意の可能な実装形態における制御情報を伝送する方法を実行する。具体的には、当該コンピュータプログラム製品は、上記第４の態様の端末デバイス上で動作することができる。
【図面の簡単な説明】
【００４３】
【図１】本願の実施例における制御情報を伝送するための方法のフローチャートである。
【図２】本願の実施例における異なる端末デバイスに構成するサイクリックシフト値の分布図である。
【図３】本願の実施例における制御情報を伝送するための方法の他のフローチャートである。
【図４】本願の実施例におけるネットワークデバイスのブロック図である。
【図５】本願の実施例における端末デバイスのブロック図である。
【図６】本願の実施例におけるネットワークデバイスの他のブロック図である。
【図７】本願の実施例における端末デバイスの他のブロック図である。
【発明を実施するための形態】
【００４４】
以下、本発明の実施例について図面を参照して説明する。
【００４５】
本願の実施例の技術的解決策は、例えば、全地球移動通信( ｇｌｏｂａｌ ｓｙｓｔｅｍ ｏｆ ｍｏｂｉｌｅ Ｃｏｍｍｕｎｉｃａｔｉｏｎ、ＧＳＭＣ )システム、符号分割多元接続( ｃｏｄｅ ｄｉｖｉｓｉｏｎ ｍｕｌｔｉｐｌｅ ａｃｃｅｓｓ、ＣＤＭＡ )システム、広帯域符号分割多元接続( ｗｉｄｅｂａｎｄ ｃｏｄｅ ｄｉｖｉｓｉｏｎ ｍｕｌｔｉｐｌｅ ａｃｃｅｓｓ、ＷＣＤＭＡ )システム、汎用パケット無線サービス( ｇｅｎｅｒａｌ ｐａｃｋｅｔ ｒａｄｉｏ ｓｅｒｖｉｃｅ、ＧＰＲＳ )、ロングタームエボリューション( ｌｏｎｇ ｔｅｒｍ ｅｖｏｌｕｔｉｏｎ、ＬＴＥ )システム、LTE周波数分割複信( ｆｒｅｑｕｅｎｃｙ ｄｉｖｉｓｉｏｎ ｄｕｐｌｅｘ、ＦＤＤ )システム、ＬＴＥ時分割複信( Ｔｉｍｅ  Ｄｉｖｉｓｉｏｎ  Ｄｕｐｌｅｘ、ＴＤＤ )、汎用移動通信システム( ｕｎｉｖｅｒｓａｌ ｍｏｂｉｌｅ ｔｅｌｅｃｏｍｍｕｎｉｃａｔｉｏｎ ｓｙｓｔｅｍ、ＵＭＴＳ )、全地球相互接続マイクロ波アクセス( ｗｏｒｌｄｗｉｄｅ ｉｎｔｅｒｏｐｅｒａｂｉｌｉｔｙ ｆｏｒ ｍｉｃｒｏｗａｖｅ ａｃｃｅｓｓ、ＷｉＭＡＸ )通信システム、将来の第五代( ５ ｔｈ ｇｅｎｅｒａｔｉｏｎ、５Ｇ )システム、又は新規ラジオ( ｎｅｗ ｒａｄｉｏ、ＮＲ )などの様々な通信システムに適用され得る。
【００４６】
本発明の実施例における端末デバイスは、ユーザ装置、アクセス端末、ユーザ装置、ユーザ局、移動局、リモート端末、モバイル装置、ユーザ端末、無線通信装置、ユーザエージェント又はユーザ装置を指すことができる。端末デバイスは、セルラー電話、コードレス電話、セッション開始プロトコル( ｓｅｓｓｉｏｎ ｉｎｉｔｉａｔｉｏｎ ｐｒｏｔｏｃｏｌ、ＳＩＰ )電話、ワイヤレスローカルループ( ｗｉｒｅｌｅｓｓ ｌｏｃａｌ ｌｏｏｐ、ＷＬＬ )局、パーソナルデジタル処理( ｐｅｒｓｏｎａｌ ｄｉｇｉｔａｌ ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来進化する一般陸上モバイル通信ネットワーク( ｐｕｂｌｉｃ ｌａｎｄ ｍｏｂｉｌｅ ｎｅｔｗｏｒｋ、ＰＬＭＮ )における端末デバイスなどであってもよく、本願の実施形態は、それらに限定されるものではない。
【００４７】
本発明の実施例におけるネットワークデバイスは、端末デバイスと通信するための装置であってもよく、該ネットワークデバイスは、ＧＳＭＣシステム又はＣＤＭＡにおける基地局( ｂａｓｅ ｔｒａｎｓｃｅｉｖｅｒ ｓｔａｔｉｏｎ、ＢＴＳ )であってもよく、ＷＣＤＭＡシステムにおける基地局( ＮｏｄｅＢ、ＮＢ )であってもよく、ＬＴＥシステムにおける発展型基地局( ｅｖｏｌｕｔｉｏｎａｌ ＮｏｄｅＢ、ｅＮＢ又はｅＮｏｄｅＢ )であってもよく、クラウド無線アクセスネットワーク( ｃｌｏｕｄ ｒａｄｉｏ ａｃｃｅｓｓ ｎｅｔｗｏｒｋ、ＣＲＡＮ )シナリオ下の無線コントローラであってもよく、又は該ネットワークデバイスは、中継局、アクセスポイント、車載装置、ウェアラブル装置、及び将来の５Ｇネットワークにおけるネットワークデバイス又は将来の発展型ＰＬＭＮネットワークにおけるネットワークデバイス等であってもよく、本発明の実施例は限定されない。
【００４８】
図１は本願の実施例における制御情報を伝送するための方法１００のフローチャートを示し、該方法１００はネットワークデバイスにより実行される。図１に示すように、該方法１００は、以下のステップを含み、Ｓ１１０において、端末デバイスの上り制御チャネルシーケンスの構成を決定し、該上り制御チャネルシーケンスの構成は、初期サイクリックシフト値、サイクリックシフト差分値及びサイクリックシフト値の数のうちの少なくとも１つを含み、Ｓ１２０において、該上り制御チャネルシーケンスの構成に基づいて、上り制御チャネルシーケンスの少なくとも２つのサイクリックシフト値を決定し、Ｓ１２０において、該少なくとも２つのサイクリックシフト値に基づいて、該端末デバイスにより送信されたＵＣＩを決定する。
【００４９】
本発明の実施例における上り制御チャネルシーケンスは制御情報を搬送するためのシーケンスであり得、該上り制御チャネルシーケンスに対応するＵＣＩはＡＣＫ / ＮＡＣＫ情報、例えばハイブリッド自動再送要求( ｈｙｂｒｉｄ ａｕｔｏｍａｔｉｃ ｒｅｐｅａｔ ｒｅｑｕｅｓｔ、ＨＡＲＱ ) ＡＣＫ / ＮＡＣＫ情報を含み、該上り制御チャネルシーケンスに対応するＵＣＩは上りリンクスケジューリングリクエスト( ｓｃｈｅｄｕｌｉｎｇ ｒｅｑｕｅｓｔ、ＳＲ )を含んでもよく、該上り制御チャネルシーケンスに対応するＵＣＩはチャネル状態情報( ｃｈａｎｎｅｌ ｓｔａｔｅ ｉｎｆｏｒｍａｔｉｏｎ、ＣＳＩ )を含んでもよく、本願実施例はこれに限定されない。
【００５０】
本願の実施例において、ネットワークがデバイス端末デバイスの上り制御チャネルシーケンスの構成を決定し、該上り制御チャネルシーケンスの構成に基づいて、上り制御チャネルシーケンスの少なくとも２つのサイクリックシフト値を決定することができる。ここで、上り制御チャネルシーケンスの構成は、初期サイクリックシフト値を含み、該初期サイクリックシフト値は、決定された少なくとも２つのサイクリックシフト値のうちの任意の１つのサイクリックシフト値であっても良く、該上り制御チャネルシーケンスの構成は、さらに、サイクリックシフト差分値を含み、該サイクリックシフト差分値は、少なくとも２つのサイクリックシフト値が数値の大きさでソートしたときの該少なくとも２つのサイクリックシフト値のうちの任意の２つの隣接するサイクリックシフト値の差分であっても良く、該上り制御チャネルシーケンスの構成は、さらに、サイクリックシフト値の数を含み、該サイクリックシフト値の数は、少なくとも２つのサイクリックシフト値の数であり、又は、該サイクリックシフト値の数は、該少なくとも２つのサイクリックシフト値の数よりも大きく、本願の実施例はこれに限定されない。
【００５１】
任意選択で、該上り制御チャネルシーケンスの構成内の初期サイクリックシフト値は、ネットワークデバイスが端末デバイスに構成しても良い。
【００５２】
具体的には、ネットワークデバイスは、予め設定されたテーブルを参照することにより、異なる端末デバイスに対して同一又は異なる初期サイクリックシフト値を構成することができ、この初期サイクリックシフト値は、この上り制御チャネルシーケンスのサイクリックシフト可能な数のうちの任意の値であっても良い。例えば、任意の端末デバイスについて、この端末デバイスの上り制御チャネルシーケンスのサイクリックシフト数が０〜１１の範囲であれば、０〜１１の１２個の内のいずれかの値を初期サイクリックシフト値としてもよい。
【００５３】
任意選択で、該上り制御チャネルシーケンスの構成におけるサイクリックシフト差分値及び/又はサイクリックシフト値の数は、端末デバイスがフィードバックを必要とするデータブロックの個数に応じて決定されてもよい。例えば、端末デバイスが送信するＵＣＩがフィードバックを必要とする少なくとも一つのデータブロックのＡＣＫ / ＮＡＣＫ情報であると仮定すると、具体的には、端末デバイスが一つのデータブロックのＡＣＫ / ＮＡＣＫ情報をフィードバックする必要がある場合、１ ｂｉｔによるフィードバックを用いることができ、この１ ｂｉｔが２つのサイクリックシフト値に対応し、この２つのサイクリックシフト値がＡＣＫ情報及びＮＡＣＫ情報にそれぞれ対応し、端末デバイスが２つのデータブロックのＡＣＫ / ＮＡＣＫ情報をフィードバックする必要がある場合、２ ｂｉｔによりフィードバックし、この２ ｂｉｔが４つのサイクリックシフト値に対応し、この４つのサイクリックシフト値が各データブロックのＡＣＫ / ＮＡＣＫ情報にそれぞれ対応し、このように、他の数のデータブロックのＡＣＫ / ＮＡＣＫ情報を類推することができる。また、例えば、ネットワークデバイスは、サイクリックシフト値の数に応じてサイクリックシフト差分値を決定してもよく、例えば、サイクリックシフト値が２つの場合には、サイクリックシフト差分値を６に設定し、サイクリックシフト値が４つの場合、サイクリックシフト差分値は３となるが、本願実施例はこれに限定されない。
【００５４】
任意選択で、ネットワークがデバイス端末デバイスの上り制御チャネルシーケンスの構成を決定した後、端末デバイスに該上り制御チャネルシーケンスの構成のうちの少なくとも１つを送信し、これにより、端末デバイスは、該上り制御チャネルシーケンスの構成に基づいて、上り制御チャネルシーケンスの少なくとも２つのサイクリックシフト値を決定し、ここで、該少なくとも２つのサイクリックシフト値とＵＣＩの少なくとも２つの状態とは、一対一対応し、端末デバイスが該少なくとも２つのサイクリックシフト値に基づいて、送信されるＵＣＩの目標状態に対する目標サイクリックシフト値を決定し、さらに、該目標サイクリックシフト値に対応する目標上り制御チャネルシーケンスを決定し、ネットワークデバイスに該目標上り制御チャネルシーケンスを送信する。
【００５５】
これに対応し、ネットワークデバイスは、端末デバイスにより送信された該目標上り制御チャネルシーケンスを受信し、該端末デバイスの上り制御チャネルシーケンスの構成を決定し、該上り制御チャネルシーケンスの構成に基づいて上り制御チャネルシーケンスの少なくとも２つのサイクリックシフト値を決定し、ネットワークデバイスは、受信された目標上り制御チャネルシーケンスを検出し、該目標上り制御チャネルシーケンスが端末デバイスが前記少なくとも２つのサイクリックシフト値内の目標サイクリックシフト値を使用するシーケンスであるため、ネットワークデバイスは、該端末デバイスにより送信された目標上り制御チャネルシーケンスに対応する目標サイクリックシフト値を決定し、さらに、該目標サイクリックシフト値に対応するＵＣＩの目標状態を決定することができる。
【００５６】
なお、ネットワークデバイスが上り制御チャネルシーケンスの構成を決定し、該上り制御チャネルシーケンスの構成に基づいて、少なくとも２つのサイクリックシフト値を決定することは、ネットワークデバイスが上り制御チャネルシーケンスの構成に基づいて、モジュロ演算により少なくとも２つのサイクリックシフト値を決定することを含む。具体的に、モジュロ演算は、以下の方式で実現するが、本願の実施例はこれに限定されない。
【００５７】
任意選択で、実施例として、ネットワークデバイスは、上り制御チャネルシーケンスの構成に応じて、少なくとも２つのサイクリックシフト値をモジュロ演算により決定することは、この上り制御チャネルシーケンスのサイクリックシフト可能な数の範囲内で、上り制御チャネルシーケンスの構成における初期サイクリックシフト値とサイクリックシフト差分値との大小関係に応じて、少なくとも２つのサイクリックシフト値を決定することを含む。具体的には、初期サイクリックシフト値がサイクリックシフト差分値よりも小さい場合には、この上り制御チャネルシーケンスのサイクリックシフト可能数の範囲内で、初期サイクリックシフト値と整数倍のサイクリックシフト差分値との和を順次計算して、少なくとも２つのサイクリックシフト差分値を得る。例えば、初期サイクリックシフト値を１、サイクリックシフト差分を３、上り制御チャネルシーケンスのサイクリックシフト可能なデータ範囲を０〜１１とすると、１＜３であるから、１-１１の間で、１と３の整数倍の和、すなわち、１、１＋３ * １＝４、１＋３ * ２ =７、１＋３ * ３ =１０が得られた４つのサイクリックシフト値として順次計算される。
【００５８】
また、初期サイクリックシフト値がサイクリックシフト差分値以上である場合には、この上り制御チャネルシーケンスのサイクリックシフト可能数の範囲内で、初期サイクリックシフト値と整数倍のサイクリックシフト差分値との和と、初期サイクリックシフト値と整数倍のサイクリックシフト差分値との差とを順次算出し、共に少なくとも２つのサイクリックシフト差分値を得る。例えば、初期サイクリックシフト値を８、サイクリックシフト差分を３、上り制御チャネルシーケンスのサイクリックシフト可能なデータ範囲を０〜１１とすると、８＞３なので、１〜１１の間で、８と３の整数倍の和、すなわち８と８＋３ * １＝１１が２つのサイクリックシフト値であり、さらに８と３の整数倍の差、すなわち８、８-３ * １＝５、８-３ *＝２の３つのサイクリックシフト値が順次計算され、得られる４つのサイクリックシフト値は、それぞれ２、５、８、１１となる。
【００５９】
2021510023.tif 000007
【００６０】
例えば、ネットワークデバイスが端末デバイスにＰＵＣＣＨリソース１を構成する場合、この端末デバイスの上り制御チャネルシーケンスのサイクリックシフト可能な数は、０から１１までの１２個の数値、即ちＮ＝１２であり、サイクリックシフト開始値α= ０であるとする。端末デバイスが１ ｂｉｔのＡＣＫ / ＮＡＣＫ情報をフィードバックする必要がある場合、２つのサイクリックシフト値に対応し、すなわちiが０と１を順次取り、対応するサイクリックシフト差分値をδ= ６に設定することができ、この場合、Φ( ０ )＝( ０＋０ * ６) mod１２＝０、Φ( １ )＝( ０＋１ * ６) mod１２＝６、すなわち２つのサイクリックシフト値０と６が得られる。端末デバイスが２ ｂｉｔのＡＣＫ / ＮＡＣＫ情報をフィードバックする場合、４つのサイクリックシフト値に対応し、iを０、１、２、３とし、それぞれのサイクリックシフト差分値をδ= ３とすると、Φ( ０ )＝( ０＋０ * ３ ) mod１２＝０、Φ( １ )＝( ０＋１ * ３ ) mod１２ =３、Φ( ２ )＝( ０＋２ * ３) mod１２＝６、Φ( ３ )＝( ０＋３ * ３ ) mod１２＝９であり、即ち、４つのサイクリックシフト値０、３、６、９が得られる。
【００６１】
また、例えば、ネットワークデバイスが他の端末デバイスのためのＰＵＣＣＨリソース２を構成する場合、端末デバイスの上り制御チャネルシーケンスのサイクリックシフト可能な範囲は、０〜１１であり、１２個の値、Ｎ＝１２であり、サイクリックシフト初期値α= ９であるとする。端末デバイスが１ ｂｉｔのＡＣＫ / ＮＡＣＫ情報をフィードバックする必要がある場合、２つのサイクリックシフト値に対応し、すなわち、iが０と１を順次取り、対応するサイクリックシフト差分値をδ= ６に設定することができ、この場合、Φ( ０ )＝( ９＋０ * ６) mod１２＝９、Φ( １ )＝( ９＋１ *６ ) mod１２＝３、すなわち２つのサイクリックシフト値９と３が得られる。端末デバイスが２ ｂｉｔのＡＣＫ / ＮＡＣＫ情報をフィードバックする場合、４つのサイクリックシフト値に対応し、即ち、iを０、１、２、３とし、それぞれのサイクリックシフト差分値をδ= ３とし、この場合、Φ( ０ )＝( ９＋０ * ３ ) mod１２ =９、Φ( １ )＝( ９＋１ * ３ ) mod１２ =０、Φ( ２ )＝( ９＋２ *３ ) mod１２ =３、Φ( ３ )＝( ９＋３ *３ ) mod１２＝６であり、４つのサイクリックシフト値９、０、３、６が得られる。
【００６２】
2021510023.tif 000008
【００６３】
例えば、ネットワークデバイスが端末デバイスにＰＵＣＣＨリソース３を構成し、端末デバイスの上り制御チャネルシーケンスのサイクリックシフト可能な範囲が０〜１１であり、合計１２、即ちＮ＝１２であり、サイクリックシフト開始値α= ３は、ホッピング値がh(t)を満たし、ここで、tが時間領域識別子を識別するホッピングパラメータである。端末デバイスが１ ｂｉｔのＡＣＫ / ＮＡＣＫ情報をフィードバックする必要がある場合、２つのサイクリックシフト値に対応し、すなわち、iが０と１を順次取り、対応するサイクリックシフト差分値をδ= ６に設定することができ、この場合、２つのサイクリックシフト値は、それぞれΦ( ０ )＝( ３＋０ * ６+ h(t) ) mod１２＝( ３＋h(t) ) mod１２及びΦ( １ )＝( ３＋１ * ６＋h(t) ) mod１２＝( ９＋h(t) ) mode１２として得られ、h(t)=２が計算されると、２つのサイクリックシフト値５及び１１が得られる。
【００６４】
端末デバイスが２ ｂｉｔのＡＣＫ / ＮＡＣＫ情報をフィードバックする必要がある場合、４つのサイクリックシフト値に対応し、即ち、iを０、１、２、３とし、対応するサイクリックシフト差分値をδ= ３とすると、４つのサイクリックシフト値は、それぞれ、Φ( ０ )＝( ３＋０ * ３＋h(t) ) mod１２＝( ３＋h(t) ) mod１２、Φ( １ )＝( ３＋１ * ３+ h(t) ) mod１２＝( ６＋h(t) ) mod１２、Φ( ２ )＝( ３＋２ * ３+ h(t) ) mod１２＝( ９＋h(t) ) mod１２、Φ( ３ )＝( ３＋３ * ３＋h(t) ) mod１２＝h(t) mod１２として求められ、h(t) =１が計算されると、４つのサイクリックシフト値４、７、１０、１が得られる。
【００６５】
任意選択で、実施例として、ネットワークデバイスが上り制御チャネルシーケンスの構成に基づいて、モジュロ演算により少なくとも２つのサイクリックシフト値を決定することは、ネットワークデバイスが上り制御チャネルシーケンスの構成の初期サイクリックシフト値に基づいて、テーブルを検索して少なくとも２つのサイクリックシフト値を取得する。具体的に、異なる上り制御チャネルシーケンスの構成、例えば、異なる初期サイクリックシフト値に基づいて、各種の上り制御チャネルシーケンスの構成に対応する少なくとも２つのサイクリックシフト値を決定し、テーブルを生成し、ネットワークデバイスが初期サイクリックシフト値を決定する時に、このテーブルを検索して該初期サイクリックシフト値に対応する少なくとも２つのサイクリックシフト値を取得することができる。
【００６６】
なお、本願の実施例における上り制御チャネルシーケンスのサイクリックシフト可能な数の範囲は、１つの物理リソースブロック( Ｐｈｙｓｉｃａｌ ｒｅｓｏｕｒｃｅ ｂｌｏｃｋ、ＰＲＢ )内に対応し得る。具体的には例えば、該ＵＣＩが含むＡＣＫ / ＮＡＣＫ情報が１つのＰＲＢに対応し得る場合、上り制御チャネルシーケンスは該ＰＲＢ内でサイクリックシフト可能な数の範囲内で、少なくとも２つのサイクリックシフト値を決定し、また、例えば、ＵＣＩが有するＳＲが、他のＰＲＢに対応していれば、上り制御チャネルシーケンスは、他のＰＲＢでサイクリックシフト可能な数の範囲内で、少なくとも２つのサイクリックシフト値を決定する。また、この２つのＰＲＢに対応する上り制御チャネルシーケンスの組み合わせ方の個数は、ＡＣＫ / ＮＡＣＫ情報に対応するＰＲＢの少なくとも２つのサイクリックシフト値とＳＲに対応するＰＲＢの少なくとも２つのサイクリックシフト値との積に等しい。
【００６７】
例えば、２ ｂｉｔのＡＣＫ / ＮＡＣＫ情報に対してn番目のＰＲＢが対応可能であり、該ＰＲＢが対応する上り制御チャネルシーケンスがサイクリックシフトできる数の範囲で４つのサイクリックシフト値が特定され、１ ｂｉｔのＳＲはn＋m番目のＰＲＢに対応してもよく、このＰＲＢに対応する上り制御チャネルシーケンスがサイクリックシフトできる数の範囲内で２つのサイクリックシフト値が決定される場合、この２つのＰＲＢに対応するシーケンスの組み合わせは、２ * ４＝８である。ここで、nはＰＵＣＣＨリソース構成指示によって決定され、mは、予め定義された規則に基づいて得られ得、たとえば、ＰＵＣＣＨ占有の総ＰＲＢ数はＮであり、m＝Ｎ＋１である。
【００６８】
本発明の実施例では、少なくとも２つのサイクリックシフト値は、ＵＣＩの少なくとも２つの状態に対応し、具体的には、少なくとも２つのサイクリックシフト値の大きさの順位に基づいて、各サイクリックシフト値に対応するＵＣＩの状態が決定されてもよく、あるいは、少なくとも２つのサイクリックシフト値の決定の順位に基づいて、各サイクリックシフト値に対応するＵＣＩの状態が決定されてもよい。
【００６９】
任意選択で、少なくとも２つのサイクリックシフト値に応じた大きさの順序で、各サイクリックシフト値に対応するＵＣＩの状態が決定される。具体的には、決定された少なくとも２つのサイクリックシフト値が、数値の大きさで順に、各ＵＣＩの状態に対応する。例えば、式( １ )または式( ２ )を用いて、少なくとも２つのサイクリックシフト値を決定すると、その少なくとも２つのサイクリックシフト値は、それぞれ、Φ( ０ )、Φ( １ )、Φ( ２ )……であり、さらに、小さいから順に、Φ( １ )、Φ( ０ )、Φ( ３ )……であるとすると、その少なくとも２つのサイクリックシフト値の大きさの順に、ＵＣＩの少なくとも２つの状態に対応する。
【００７０】
例えば、１ ｂｉｔのＡＣＫ / ＮＡＣＫ情報に対して、ＡＣＫとＮＡＣＫの２つの状態が２つのサイクリックシフト値に対応し、式( １ )又は式( ２ )のようにサイクリックシフト値が決定され、最大値がＡＣＫに対応し、最小値がＮＡＣＫに対応する場合、初期サイクリックシフト値が３であり、Φ( ０ )＝３、Φ( １ )＝９が決定された場合、又は初期サイクリックシフト値が９であり、Φ( ０ )＝９、Φ( １ )＝３が決定された場合、いずれも９がＡＣＫに対応し、３がＮＡＣＫに対応することが決定される。
【００７１】
任意選択で、少なくとも２つのサイクリックシフト値による決定の順番については、各サイクリックシフト値に対応するＵＣＩの状態が決定される。具体的には、初期サイクリックシフト値は、少なくとも２つのサイクリックシフト値のうちの最初に決定されたサイクリックシフト値であり、ＵＣＩの少なくとも２つの状態に第１の状態が含まれ、初期サイクリックシフト値が第１の状態に対応する。例えば、式( １ )または式( ２ )のように、少なくとも２つのサイクリックシフト値が決定されるとすると、その少なくとも２つのサイクリックシフト値の決定順序は、Φ( ０ )、Φ( １ )、Φ( ２ )……であり、その少なくとも２つのサイクリックシフト値は、その順序で、ＵＣＩの少なくとも２つの状態にそれぞれ対応する。
【００７２】
例えば、１ ｂｉｔのＡＣＫ / ＮＡＣＫ情報に対して、ＡＣＫとＮＡＣＫの２つの状態が２つのサイクリックシフト値に対応すると仮定して、式( １ )又は( ２ )のようにサイクリックシフト値を決定し、Φ( ０ )をＡＣＫに、Φ( １ )をＮＡＣＫに対応させることができれば、表１に示すような対応関係が得られる。
【００７３】
【表１】
2021510023.tif 000009
【００７４】
2021510023.tif 000010
【００７５】
また、例えば、２ ｂｉｔのＡＣＫ / ＮＡＣＫ情報に対して、２つのデータブロックがそれぞれＡＣＫとＮＡＣＫの２つの状態に対応し、合計４つのサイクリックシフト値に対応し、それぞれΦ( ０ )、Φ( １ )、Φ( ２ )、Φ( ３ )として、式( １ )又は式( ２ )のように４つのサイクリックシフト値が決定されると仮定すると、その具体的な対応関係は、表２に示す通りであってもよい。
【００７６】
【表２】
2021510023.tif 000011
【００７７】
2021510023.tif 000012
【００７８】
また、例えば、２つのＰＲＢの場合、２つのＰＲＢが第１のＰＲＢ及び第２のＰＲＢであり、ここで、第１のＰＲＢ内の２ ｂｉｔのＡＣＫ / ＮＡＣＫ情報に、２つのデータブロックがそれぞれＡＣＫ及びＮＡＣＫの２つの状態に対応し、合計４つのサイクリックシフト値に対応し、式( １ )又は( ２ )のように、それぞれΦ( ０ )、Φ( １ )、Φ( ２ )、及びΦ( ３ )としてサイクリックシフト値が決定されると仮定し、第２のＰＲＢにおける１ ｂｉｔのＳRについて肯定（ｐｏｓｉｔｉｖｅ）と否定（ｎｅｇａｔｉｖｅ）の２つの状態が存在するとすると、第１のＰＲＢにおける２ ｂｉｔのＡＣＫ / ＮＡＣＫ情報と、第２のＰＲＢにおける１ ｂｉｔのpositive ＳRとnegative ＳRと、それぞれのサイクリックシフト値との対応関係は、次の表３のように表すことができる。
【００７９】
【表３】
2021510023.tif 000013
【００８０】
2021510023.tif 000014
【００８１】
このように、少なくとも２つのサイクリックシフト値の決定順序に従って、対応するＵＣＩの状態を決定することにより、異なる初期サイクリックシフト値を設定することにより、ＡＣＫ / ＮＡＣＫ情報に対応するサイクリックシフト値を調整することができ、近接するサイクリックシフト値同士が干渉する可能性があるため、高い確率で、近接するサイクリックシフト値に状態がマッピングされることを回避することができる。例えば、図２は、より合理的に構成された結果であり、図２から分かるように、ＡはＡＣＫ情報を表し、ＣはＮＡＣＫ情報を表し、Ｐは情報の組み合わせの確率を表し、したがって、異なる端末デバイスの高い確率状態のＡＣＫ間の対応するサイクリックシフト値間隔はより大きい。
【００８２】
そして、本願の実施例における制御情報を伝送するための方法において、ネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、受信された端末デバイスからの上り制御チャネルシーケンスが示すＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００８３】
以上、図１及び図２を参照して、本発明の一実施例に係る制御情報を伝送するための方法をネットワークデバイスの観点から詳細に説明したが、図３を参照して、本発明の一実施例に係る制御情報を伝送するための方法を端末デバイスの観点から説明する。
【００８４】
図３示は本願の実施例における制御情報を伝送するための方法２００のフローチャートを示し、該方法２００が端末デバイスにより実行される。図３に示すように、該方法２００は、以下のステップを含み、Ｓ２１０において、上り制御チャネルシーケンスの構成を決定し、該上り制御チャネルシーケンスの構成は、初期サイクリックシフト値、サイクリックシフト差分値及びサイクリックシフト値の数のうちの少なくとも１つを含み、Ｓ２２０において、該上り制御チャネルシーケンスの構成に基づいて、上り制御チャネルシーケンスの少なくとも２つのサイクリックシフト値を決定し、Ｓ２３０において、該少なくとも２つのサイクリックシフト値のうちの少なくとも１つを利用して、ネットワークデバイスにＵＣＩを送信する。
【００８５】
そして、本願の実施例における制御情報を伝送するための方法において、端末デバイスが上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、送信する必要があるＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００８６】
任意選択で、該上り制御チャネルシーケンスの構成を決定することは、該ネットワークデバイスにより送信された該上り制御チャネルシーケンスの構成を受信することを含む。
【００８７】
任意選択で、該該上り制御チャネルシーケンスの構成に基づいて、上り制御チャネルシーケンスの少なくとも２つのサイクリックシフト値を決定することは、該上り制御チャネルシーケンスの構成に基づいて、モジュロ演算により該少なくとも２つのサイクリックシフト値を決定することを含む。
【００８８】
2021510023.tif 000015
【００８９】
任意選択で、該上り制御チャネルシーケンスの構成が、さらにホッピングパラメータを含む。
【００９０】
2021510023.tif 000016
【００９１】
任意選択で、該方法は、さらに、フィードバックされたデータブロックの数に基づいて、該サイクリックシフト差分値及び／又は該サイクリックシフト値の数を決定する。
【００９２】
任意選択で、該上り制御チャネルシーケンスは、制御情報が搬送されるシーケンスである。
【００９３】
任意選択で、該少なくとも２つのサイクリックシフト値に基づいて、ネットワークデバイスにＵＣＩを送信することは、該少なくとも２つのサイクリックシフト値から、ＵＣＩに対応する目標サイクリックシフト値を決定し、該目標サイクリックシフト値に基づいて、対応する目標上り制御チャネルシーケンスを決定し、該ネットワークデバイスに該目標上り制御チャネルシーケンスを送信し、該目標上り制御チャネルシーケンスが該ＵＣＩを示す。
【００９４】
任意選択で、該少なくとも２つのサイクリックシフト値は、該ＵＣＩの少なくとも２つの状態に一対一対応する。
【００９５】
任意選択で、該少なくとも２つのサイクリックシフト値からＵＣＩに対応する目標サイクリックシフト値を決定することは、該少なくとも２つのサイクリックシフト値からＵＣＩの目標状態に対応する目標サイクリックシフト値を決定することを含み、該目標上り制御チャネルシーケンスは、該目標状態を示す。
【００９６】
任意選択で、該ＵＣＩの該少なくとも２つの状態が第１の状態を含み、該初期サイクリックシフト値が該第１の状態に対応する。
【００９７】
そして、本願の実施例における制御情報を伝送するための方法において、端末デバイスが上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、送信する必要があるＵＣＩに対応する目標サイクリックシフト値を決定し、該目標サイクリックシフト値を利用して上り制御チャネルシーケンスを送信し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００９８】
なお、本発明の様々な実施例において、上述のプロセスの順序のサイズは、実行順序の先後を意味するものではなく、各プロセスの実行順序は、その機能及び内部ロジックにおいて決定されるべきであり、本発明の実施形態のプロセスを何ら限定するものではない。
【００９９】
また、ここでいう「及び/又は」とは、単に関連のある対象を記述するための関連関係の一種であり、Ａ及び/又はＢの３種類の関係が存在し得ることを示し、Ａのみ、ＡとＢが同時に存在すること、Ｂのみが存在することの３種類の場合があり得ることを示す。なお、本文中の「/」の文字は、前後の関連オブジェクトが一種の「または」の関係であることを一般的に示す。
【０１００】
以上、図１〜図３を参照して本発明の一実施例による制御情報を伝送するための方法について詳細に説明したが、以下、図４〜図７を参照して本発明の一実施例によるネットワークデバイス及び端末デバイスについて説明する。
【０１０１】
図４に示すように、本願の実施例におけるネットワークデバイス３００は、決定ユニット３１０を含み、任意選択で、さらに、送信ユニット３２０を含み、受信ユニット３３０を含む。
【０１０２】
具体的に、決定ユニット３１０は、端末デバイスの上り制御チャネルシーケンスの構成を決定するように構成され、該上り制御チャネルシーケンスの構成は、初期サイクリックシフト値、サイクリックシフト差分値及びサイクリックシフト値の数のうちの少なくとも１つを含み、該決定ユニット３１０は、さらに、該上り制御チャネルシーケンスの構成に基づいて、上り制御チャネルシーケンスの少なくとも２つのサイクリックシフト値を決定するように構成され、該決定ユニット３１０は、さらに、該少なくとも２つのサイクリックシフト値のうちの少なくとも１つを利用して、該端末デバイスにより送信されたＵＣＩを決定するように構成される。
【０１０３】
そして、本願の実施例におけるネットワークデバイスは、端末デバイスに構成された上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、端末デバイスにより送信されたＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１０４】
任意選択で、送信ユニット３２０は、該決定ユニット３１０が該端末デバイスの該上り制御チャネルシーケンスの構成を決定した後、該端末デバイスに該上り制御チャネルシーケンスの構成のうちの少なくとも１つを送信するように構成される。
【０１０５】
任意選択で、該決定ユニット３１０は、具体的に、該上り制御チャネルシーケンスの構成に基づいて、モジュロ演算により該少なくとも２つのサイクリックシフト値を決定するように構成される。
【０１０６】
2021510023.tif 000017
【０１０７】
任意選択で、該上り制御チャネルシーケンスの構成が、さらにホッピングパラメータを含む。
【０１０８】
2021510023.tif 000018
【０１０９】
任意選択で、該決定ユニット３１０は、具体的に、該端末デバイスからフィードバックされたデータブロックの数に基づいて、該サイクリックシフト値の数及び／又は該サイクリックシフト差分値を決定するように構成される。
【０１１０】
任意選択で、該上り制御チャネルシーケンスは、制御情報が搬送されるシーケンスである。
【０１１１】
任意選択で、該受信ユニット３３０は、端末デバイスにより送信された目標上り制御チャネルシーケンスを受信し、該決定ユニット３２０は、具体的に、該少なくとも２つのサイクリックシフト値から該目標上り制御チャネルシーケンスに対応する目標サイクリックシフト値を決定し、該目標サイクリックシフト値に基づいて、対応するＵＣＩを決定する。
【０１１２】
任意選択で、該少なくとも２つのサイクリックシフト値は、該ＵＣＩの少なくとも２つの状態に一対一対応する。
【０１１３】
任意選択で、該決定ユニット３１０は、具体的に、該少なくとも２つの状態から該目標サイクリックシフト値に対応するＵＣＩの状態を目標状態として決定するように構成される。
【０１１４】
任意選択で、該ＵＣＩの該少なくとも２つの状態が第１の状態を含み、該初期サイクリックシフト値が該第１の状態に対応する。
【０１１５】
本発明の実施例におけるネットワークデバイス３００は、本発明の実施例における方法１００を実行することに対応してもよく、ネットワークデバイス３００の各ユニットの上記及び他の動作及び/又は機能は、それぞれ、図１〜図３の各方法のネットワークデバイス対応フローを実施するために、簡潔のためにここでは説明を省略する。
【０１１６】
そして、本願の実施例におけるネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、受信された端末デバイスからの上り制御チャネルシーケンスが示すＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１１７】
図５は、本願の実施例における端末デバイス４００を示し、決定ユニット４１０及び送信ユニット４２０を含み、任意選択で、さらに、受信ユニット４３０を含む。
【０１１８】
具体的に、決定ユニット４１０は、上り制御チャネルシーケンスの構成を決定するように構成され、該上り制御チャネルシーケンスの構成は、初期サイクリックシフト値、サイクリックシフト差分値及びサイクリックシフト値の数のうちの少なくとも１つを含み、該決定ユニット４１０は、さらに、該上り制御チャネルシーケンスの構成に基づいて、上り制御チャネルシーケンスの少なくとも２つのサイクリックシフト値を決定するように構成され、該送信ユニット４２０は、該少なくとも２つのサイクリックシフト値のうちの１つを利用して、ネットワークデバイスにＵＣＩを送信するように構成される。
【０１１９】
そして、本願の実施例における端末デバイスは、上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、送信する必要があるＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１２０】
任意選択で、受信ユニット４３０は、該ネットワークデバイスにより送信された該上り制御チャネルシーケンスの構成を受信するように構成される。
【０１２１】
任意選択で、該決定ユニット４１０は、具体的に、該上り制御チャネルシーケンスの構成に基づいて、モジュロ演算により該少なくとも２つのサイクリックシフト値を決定するように構成される。
【０１２２】
2021510023.tif 000019
【０１２３】
任意選択で、該上り制御チャネルシーケンスの構成が、さらにホッピングパラメータを含む。
【０１２４】
2021510023.tif 000020
【０１２５】
任意選択で、該決定ユニット４１０は、具体的に、フィードバックされたデータブロックの数に基づいて、該サイクリックシフト差分値及び／又は該サイクリックシフト値の数を決定するように構成される。
【０１２６】
任意選択で、該上り制御チャネルシーケンスは、制御情報が搬送されるシーケンスである。
【０１２７】
任意選択で、該決定ユニット４１０は、具体的に、該少なくとも２つのサイクリックシフト値からＵＣＩに対応する目標サイクリックシフト値を決定し、該目標サイクリックシフト値に基づいて、対応する目標上り制御チャネルシーケンスを決定するように構成され、該送信ユニット４２０は、具体的に、該ネットワークデバイスに該目標上り制御チャネルシーケンスを送信するように構成され、該目標上り制御チャネルシーケンスは、該ＵＣＩを示す。
【０１２８】
任意選択で、該少なくとも２つのサイクリックシフト値は、該ＵＣＩの少なくとも２つの状態に一対一対応する。
【０１２９】
任意選択で、該決定ユニット４１０は、具体的に、該少なくとも２つのサイクリックシフト値からＵＣＩの目標状態に対応する該目標サイクリックシフト値を決定するように構成される。
【０１３０】
任意選択で、該ＵＣＩの該少なくとも２つの状態が第１の状態を含み、該初期サイクリックシフト値が該第１の状態に対応する。
【０１３１】
本発明の一実施例に係る端末デバイス４００は、本発明の一実施例に係る方法２００を実行することに対応し、端末デバイス４００の各部における上述した及びその他の動作及び/又は機能は、図１乃至図３に示す各方法を実現するための端末デバイスに対応するフローのために、それぞれ簡略化のために、ここでは説明を省略する。
【０１３２】
そして、本願の実施例における端末デバイスは、上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、送信する必要があるＵＣＩに対応する目標サイクリックシフト値を決定し、該目標サイクリックシフト値を利用して上り制御チャネルシーケンスを送信し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１３３】
図６は、本発明の実施形態に係るネットワークデバイス５００の概略ブロック図を示しており、図６に示すように、該ネットワークデバイス５００は、プロセッサ５１０と、プロセッサ５１０に接続された送受信機５２０と、を備え、必要に応じて、プロセッサ５１０に接続されたメモリ５３０をさらに備える。命令を記憶するために使用され得るメモリ５３０、および送受信機５２０は、送受信機５２０を制御するためにメモリ５３０によって記憶された命令を実行するように動作するプロセッサ５１０と、内部接続経路を通して互いに通信し、データ信号を転送および/または制御するように構成され、該プロセッサ５１０は、端末デバイスの上り制御チャネルシーケンスの構成を決定し、該上り制御チャネルシーケンスの構成は、初期サイクリックシフト値、サイクリックシフト差分値及びサイクリックシフト値の数のうちの少なくとも１つを含み、該上り制御チャネルシーケンスの構成に基づいて、上り制御チャネルシーケンスの少なくとも２つのサイクリックシフト値を決定し、該少なくとも２つのサイクリックシフト値のうちの少なくとも１つを利用して、該端末デバイスにより送信されたＵＣＩを決定する。
【０１３４】
そして、本願の実施例におけるネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、端末デバイスにより送信されたＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１３５】
任意選択で、実施例として、該送受信機５２０は、該プロセッサ５１０が該端末デバイスの該上り制御チャネルシーケンスの構成を決定した後、該端末デバイスに該上り制御チャネルシーケンスの構成のうちの少なくとも１つを送信するように構成される。
【０１３６】
任意選択で、実施例として、該プロセッサ５１０は、該上り制御チャネルシーケンスの構成に基づいて、モジュロ演算により該少なくとも２つのサイクリックシフト値を決定するように構成される。
【０１３７】
2021510023.tif 000021
【０１３８】
任意選択で、実施例として、該上り制御チャネルシーケンスの構成が、さらにホッピングパラメータを含む。
【０１３９】
2021510023.tif 000022
【０１４０】
任意選択で、実施例として、該プロセッサ５１０は、該端末デバイスからフィードバックされたデータブロックの数に基づいて、該サイクリックシフト値の数及び／又は該サイクリックシフト差分値を決定するように構成される。
【０１４１】
任意選択で、実施例として、該上り制御チャネルシーケンスは、制御情報が搬送されるシーケンスである。
【０１４２】
任意選択で、実施例として、該送受信機５２０は、端末デバイスにより送信された目標上り制御チャネルシーケンスを受信するように構成され、該プロセッサ５１０は、該少なくとも２つのサイクリックシフト値から、該目標上り制御チャネルシーケンスに対応する目標サイクリックシフト値を決定し、該目標サイクリックシフト値に基づいて、対応するＵＣＩを決定するように構成される。
【０１４３】
任意選択で、実施例として、該少なくとも２つのサイクリックシフト値は、該ＵＣＩの少なくとも２つの状態に一対一対応する。
【０１４４】
任意選択で、実施例として、該プロセッサ５１０は、該少なくとも２つの状態から該目標サイクリックシフト値に対応するＵＣＩの状態を目標状態として決定するように構成される。
【０１４５】
任意選択で、実施例として、該ＵＣＩの該少なくとも２つの状態が第１の状態を含み、該初期サイクリックシフト値が該第１の状態に対応する。
【０１４６】
なお、本発明の実施形態によるネットワークデバイス５００は、本発明の実施形態によるネットワークデバイス３００に対応し、本発明の実施形態による方法１００を実行する対応するエージェントに対応してもよく、ネットワークデバイス５００における様々なユニットの上記及び他の動作及び/又は機能は、図１〜図３における様々な方法におけるネットワークデバイスの対応するフローをそれぞれ実現するために、簡潔のためにここで説明を省略する。
【０１４７】
そして、本願の実施例におけるネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、受信された端末デバイスからの上り制御チャネルシーケンスが示すＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１４８】
図７は、本発明の一実施形態による端末デバイス６００の概略ブロック図を示し、図７に示すように、端末デバイス６００は、プロセッサ６１０と、プロセッサ６１０に接続された送受信機６２０と、任意で、メモリ６３０をさらに含む。ここで、プロセッサ６１０と、メモリ６３０と、送受信機６２０との間で内部接続経路を介して相互に通信してデータ信号を伝送及び/又は制御するプロセッサ６２０であって、メモリ６３０は命令を格納するために使用され、プロセッサ６１０は、メモリ６３０に格納された命令を実行して、送受信機６２０を制御して情報又は信号を送信するために使用され、該プロセッサ６１０は、上り制御チャネルシーケンスの構成を決定し、該上り制御チャネルシーケンスの構成は、初期サイクリックシフト値、サイクリックシフト差分値及びサイクリックシフト値の数のうちの少なくとも１つを含み、該上り制御チャネルシーケンスの構成に基づいて、上り制御チャネルシーケンスの少なくとも２つのサイクリックシフト値を決定するように構成され、該送受信機６２０は、該少なくとも２つのサイクリックシフト値のうちの少なくとも１つを利用して、ネットワークデバイスにＵＣＩを送信するように構成される。
【０１４９】
そして、本願の実施例における端末デバイスは、上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、送信する必要があるＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１５０】
任意選択で、実施例として、該送受信機６２０は、該ネットワークデバイスにより送信された該上り制御チャネルシーケンスの構成を受信するように構成される。
【０１５１】
任意選択で、実施例として、該プロセッサ６１０は、該上り制御チャネルシーケンスの構成に基づいて、モジュロ演算により該少なくとも２つのサイクリックシフト値を決定するように構成される。
【０１５２】
2021510023.tif 000023
【０１５３】
任意選択で、実施例として、該上り制御チャネルシーケンスの構成が、さらにホッピングパラメータを含む。
【０１５４】
2021510023.tif 000024
【０１５５】
任意選択で、実施例として、該プロセッサ６１０は、フィードバックされたデータブロックの数に基づいて、該サイクリックシフト差分値及び/又は該サイクリックシフト値の数を決定するように構成される。
【０１５６】
任意選択で、実施例として、該上り制御チャネルシーケンスは、制御情報が搬送されるシーケンスである。
【０１５７】
任意選択で、実施例として、該プロセッサ６１０は、該少なくとも２つのサイクリックシフト値からＵＣＩに対応する目標サイクリックシフト値を決定し、該目標サイクリックシフト値に基づいて、対応する目標上り制御チャネルシーケンスを決定するように構成され、該送受信機６２０は、該ネットワークデバイスに該目標上り制御チャネルシーケンスを送信するように構成され、該目標上り制御チャネルシーケンスは、該ＵＣＩを示す。
【０１５８】
任意選択で、実施例として、該少なくとも２つのサイクリックシフト値は、該ＵＣＩの少なくとも２つの状態に一対一対応する。
【０１５９】
任意選択で、実施例として、該プロセッサ６１０は、該少なくとも２つのサイクリックシフト値からＵＣＩの目標状態に対応する該目標サイクリックシフト値を決定するように構成される。
【０１６０】
任意選択で、実施例として、該ＵＣＩの該少なくとも２つの状態が第１の状態を含み、該初期サイクリックシフト値が該第１の状態に対応する。
【０１６１】
なお、本発明の実施形態による端末デバイス６００は、本発明の実施形態による端末デバイス４００に対応し、本発明の実施形態による方法２００を実行するための対応する主体に対応し、端末デバイス６００における各ユニットの上記及びその他の動作及び/又は機能は、それぞれ図１乃至図３における各方法における端末デバイスの対応するフローを実現するために、簡潔のためにここで説明を省略する。
【０１６２】
そして、本願の実施例における端末デバイスは、上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、送信する必要があるＵＣＩに対応する目標サイクリックシフト値を決定し、該目標サイクリックシフト値を利用して上り制御チャネルシーケンスを送信し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１６３】
本明細書に記載の方法の実施形態は、プロセッサに適用されてもよく、またはプロセッサによって実装されてもよいことに留意されたい。プロセッサは、信号の処理能力を有する集積回路チップであり得る。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１６４】
本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。限定ではなく例として、ＲＡＭは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、ダブルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ Ｄｙｎａｍｉｃ Ｒａｎｄｏｍ Ａｃｃｅｓｓ Ｍｅｍｏｒｙ ( ｅｎｈａｎｃｅｄ ＳＤＲＡＭ、ＥＳＤＲＡＭ )、同期接続ダイナミックランダムアクセスメモリ( ｓｙｎｃｈｌｉｎｋ ＤＲＡＭ、ＳＬＤＲＡＭ )、及びダイレクトメモリバスランダムアクセスメモリ( ｄｉｒｅｃｔ ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１６５】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１６６】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１６７】
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６８】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１６９】
また、本発明の各実施例における各機能部は、１つの処理部に集積されてもよいし、各部は、物理的に別個に存在してもよいし、２つ以上の部が１つの部に集積されてもよい。
【０１７０】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。また、前記記憶媒体としては、U-ディスク、リムーバブルハードディスク、リードオンリーメモリ( ＲＯＭ )、ランダムアクセスメモリ( ＲＡＭ)、磁気ディスク、光ディスク等のプログラムコードを記憶できる種々の媒体を包含する。
【０１７１】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲の保護範囲に準ずるものとする。
【図１】
2021510023.tif 000033
【図２】
2021510023.tif 000034
【図３】
2021510023.tif 000035
【図４】
2021510023.tif 000036
【図５】
2021510023.tif 000037
【図６】
2021510023.tif 000038
【図７】
2021510023.tif 000039
【手続補正書】
【提出日】令和2年10月19日(2020.10.19)
【手続補正１】
【補正対象書類名】明細書
【補正対象項目名】全文
【補正方法】変更
【補正の内容】
【発明の詳細な説明】
【技術分野】
【０００１】
本願は、通信分野に関し、特に、制御情報を伝送するための方法、ネットワークデバイス及び端末デバイスに関する。
【背景技術】
【０００２】
従来の新しいラジオ( ｎｅｗ ｒａｄｉｏ、ＮＲ )システムは、２種類の時間長の物理上り制御チャネル( Ｐｈｙｓｉｃａｌ ｕｐｌｉｎｋ ｃｏｎｔｒｏｌ ｃｈａｎｎｅｌ、ＰＵＣＣＨ )をサポートすることができ、それぞれショートＰＵＣＣＨ ( ｓｈｏｒｔ−ＰＵＣＣＨ )とロングＰＵＣＣＨ ( ｌｏｎｇ−ＰＵＣＣＨ )である。ショートＰＵＣＣＨは、一般に、１または２個の時間領域シンボルを含み、ロングＰＵＣＣＨは、４〜１４個の時間領域シンボルを含む。両方のタイプのＰＵＣＣＨは、２ビット以下および２ビットより大きい上り制御情報( ｕｐｌｉｎｋ ｃｏｎｔｒｏｌ ｉｎｆｏｒｍａｔｉｏｎ、ＵＣＩ )を搬送し得る。
【０００３】
ここで、２ビット以下のＵＣＩについては、通常、シーケンス指示の方法が採用される。例えば、１ビットを占有する確認/非確認( ＡＣＫ / ＮＡＣＫ )情報に対しては、同じシーケンスの２つのサイクリックシフトを用いて示され得るが、このサイクリックシフト値をどのように決定するかは、依然として、解決するべき問題である。
【発明の概要】
【発明が解決しようとする課題】
【０００４】
本願は、サイクリックシフト値を柔軟に構成することができる制御情報を伝送するための方法、ネットワークデバイス及び端末デバイスを提供する。
【０００５】
第１の態様は、制御情報を伝送するための方法を提供し、該方法は、端末デバイスの上り制御チャネルシーケンスの構成を決定することと、該上り制御チャネルシーケンスの構成に基づいて、上り制御チャネルシーケンスの少なくとも２つのサイクリックシフト値を決定することと、該少なくとも２つのサイクリックシフト値のうちの少なくとも１つを利用して、該端末デバイスにより送信されたＵＣＩを決定することとを含み、該上り制御チャネルシーケンスの構成は、初期サイクリックシフト値、サイクリックシフト差分値及びサイクリックシフト値の数のうちの少なくとも１つを含む。
【０００６】
そして、本願の実施例における制御情報を伝送するための方法において、ネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、端末デバイスにより送信されたＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０００７】
第１の態様と結合し、第１の態様の実現可能な方式において、該端末デバイスの上り制御チャネルシーケンスの構成を決定した後、該方法は、さらに、該端末デバイスに該上り制御チャネルシーケンスの構成のうちの少なくとも１つを送信することを含む。
【０００８】
第１の態様及び以上の実現可能な方式と結合し、第１の態様の実現可能な方式において、該該上り制御チャネルシーケンスの構成に基づいて、上り制御チャネルシーケンスの少なくとも２つのサイクリックシフト値を決定することは、該上り制御チャネルシーケンスの構成に基づいて、モジュロ演算により該少なくとも２つのサイクリックシフト値を決定することを含む。
【０００９】
2021510023.tif 000040
ここで、α、i、δ及びＮが整数であり、αが該初期サイクリックシフト値を示し、δが該サイクリックシフト差分値を示し、Ｎが該上り制御チャネルシーケンスがサイクリックシフト可能な数を示し、０≦α≦Ｎ、０≦i≦Ｎ、０≦δ≦Ｎである。
【００１０】
第１の態様及び以上の実現可能な方式と結合し、第１の態様の実現可能な方式において、該上り制御チャネルシーケンスの構成が、さらにホッピングパラメータを含む。
【００１１】
2021510023.tif 000041
ここで、α、i、δ及びＮが整数であり、αが該初期サイクリックシフト値を示し、δが該サイクリックシフト差分値を示し、Ｎが該上り制御チャネルシーケンスがサイクリックシフト可能な数を示し、hが該ホッピングパラメータに基づいて決定するホッピング数を示し、０≦α≦Ｎ、０≦i≦Ｎ、０≦δ≦Ｎ、０≦h≦Ｎである。
【００１２】
第１の態様及び以上の実現可能な方式と結合し、第１の態様の実現可能な方式において、該端末デバイスの上り制御チャネルシーケンスの構成を決定することは、該端末デバイスからフィードバックされたデータブロックの数に基づいて、該サイクリックシフト値の数及び／又は該サイクリックシフト差分値を決定することを含む。
【００１３】
第１の態様及び以上の実現可能な方式と結合し、第１の態様の実現可能な方式において、該上り制御チャネルシーケンスは、制御情報が搬送されるシーケンスである。
【００１４】
第１の態様及び以上の実現可能な方式と結合し、第１の態様の実現可能な方式において、該少なくとも２つのサイクリックシフト値に基づいて、該端末デバイスにより送信されたＵＣＩを決定することは、端末デバイスにより送信された目標上り制御チャネルシーケンスを受信し、該少なくとも２つのサイクリックシフト値から目標上り制御チャネルシーケンスに対応する目標サイクリックシフト値を決定し、該目標サイクリックシフト値に基づいて、対応するＵＣＩを決定することを含む。
【００１５】
第１の態様及び以上の実現可能な方式と結合し、第１の態様の実現可能な方式において、該少なくとも２つのサイクリックシフト値は、該ＵＣＩの少なくとも２つの状態に一対一対応する。
【００１６】
任意選択で、該ＵＣＩの少なくとも２つの状態は、フィードバックする必要がある少なくとも１つデータブロックのＡＣＫ/ＮＡＣＫを含む。
【００１７】
第１の態様及び以上の実現可能な方式と結合し、第１の態様の実現可能な方式において、該目標サイクリックシフト値に基づいて、対応するＵＣＩを決定することは、該目標サイクリックシフト値に基づいて、対応するＵＣＩの目標状態を決定することを含む。
【００１８】
第１の態様及び以上の実現可能な方式と結合し、第１の態様の実現可能な方式において、該ＵＣＩの該少なくとも２つの状態が第１の状態を含み、該初期サイクリックシフト値が該第１の状態に対応する。
【００１９】
そして、本願の実施例における制御情報を伝送するための方法において、ネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、受信された端末デバイスからの上り制御チャネルシーケンスが示すＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００２０】
第２の態様は、制御情報を伝送するための方法を提供し、該方法は、上り制御チャネルシーケンスの構成を決定することと、Ｓ２２０において、該上り制御チャネルシーケンスの構成に基づいて、上り制御チャネルシーケンスの少なくとも２つのサイクリックシフト値を決定することと、Ｓ２３０において、該少なくとも２つのサイクリックシフト値のうちの少なくとも１つを利用して、ネットワークデバイスにＵＣＩを送信することとを含み、該上り制御チャネルシーケンスの構成は、初期サイクリックシフト値、サイクリックシフト差分値及びサイクリックシフト値の数のうちの少なくとも１つを含む。
【００２１】
そして、本願の実施例における制御情報を伝送するための方法において、端末デバイスが上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、送信する必要があるＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００２２】
第２の態様と結合し、第２の態様の実現可能な方式において、該上り制御チャネルシーケンスの構成を決定することは、該ネットワークデバイスにより送信された該上り制御チャネルシーケンスの構成を受信することを含む。
【００２３】
第２の態様及び以上の実現可能な方式と結合し、第２の態様の実現可能な方式において、該該上り制御チャネルシーケンスの構成に基づいて、上り制御チャネルシーケンスの少なくとも２つのサイクリックシフト値を決定することは、該上り制御チャネルシーケンスの構成に基づいて、モジュロ演算により該少なくとも２つのサイクリックシフト値を決定することを含む。
【００２４】
2021510023.tif 000042
ここで、α、i、δ及びＮが整数であり、αが該初期サイクリックシフト値を示し、δが該サイクリックシフト差分値を示し、Ｎが該上り制御チャネルシーケンスがサイクリックシフト可能な数を示し、０≦α≦Ｎ、０≦i≦Ｎ、０≦δ≦Ｎである。
【００２５】
第２の態様及び以上の実現可能な方式と結合し、第２の態様の実現可能な方式において、該上り制御チャネルシーケンスの構成が、さらにホッピングパラメータを含む。
【００２６】
2021510023.tif 000043
ここで、α、i、δ及びＮが整数であり、αが該初期サイクリックシフト値を示し、δが該サイクリックシフト差分値を示し、Ｎが該上り制御チャネルシーケンスがサイクリックシフト可能な数を示し、hが該ホッピングパラメータに基づいて決定するホッピング数を示し、０≦α≦Ｎ、０≦i≦Ｎ、０≦δ≦Ｎ、０≦h≦Ｎである。
【００２７】
第２の態様及び以上の実現可能な方式と結合し、第２の態様の実現可能な方式において、該方法は、さらに、フィードバックされたデータブロックの数に基づいて、該サイクリックシフト差分値及び／又は該サイクリックシフト値の数を決定することを含む。
【００２８】
第２の態様及び以上の実現可能な方式と結合し、第２の態様の実現可能な方式において、該上り制御チャネルシーケンスは、制御情報が搬送されるシーケンスである。
【００２９】
第２の態様及び以上の実現可能な方式と結合し、第２の態様の実現可能な方式において、該少なくとも２つのサイクリックシフト値に基づいて、ネットワークデバイスにＵＣＩを送信することは、該少なくとも２つのサイクリックシフト値から、ＵＣＩに対応する目標サイクリックシフト値を決定し、該目標サイクリックシフト値により決定された対応する目標上り制御チャネルシーケンスに基づいて、該ネットワークデバイスに該目標上り制御チャネルシーケンスを送信することを含み、該目標上り制御チャネルシーケンスは、該ＵＣＩを示す。
【００３０】
第２の態様及び以上の実現可能な方式と結合し、第２の態様の実現可能な方式において、該少なくとも２つのサイクリックシフト値は、該ＵＣＩの少なくとも２つの状態に一対一対応する。
【００３１】
任意選択で、該ＵＣＩの少なくとも２つの状態は、フィードバックされる必要がある少なくとも１つデータブロックのＡＣＫ/ＮＡＣＫを含む。
【００３２】
第２の態様及び以上の実現可能な方式と結合し、第２の態様の実現可能な方式において、該少なくとも２つのサイクリックシフト値からＵＣＩに対応する目標サイクリックシフト値を決定することは、該少なくとも２つのサイクリックシフト値からＵＣＩの目標状態に対応する目標サイクリックシフト値を決定することを含み、該目標上り制御チャネルシーケンスは、該目標状態を示す。
【００３３】
第２の態様及び以上の実現可能な方式と結合し、第２の態様の実現可能な方式において、該ＵＣＩの該少なくとも２つの状態が第１の状態を含み、該初期サイクリックシフト値が該第１の状態に対応する。
【００３４】
そして、本願の実施例における制御情報を伝送するための方法において、端末デバイスが上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、送信する必要があるＵＣＩに対応する目標サイクリックシフト値を決定し、該目標サイクリックシフト値を利用して上り制御チャネルシーケンスを送信し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００３５】
第３の態様は、上記の第１の態様または第１の態様の任意の可能な実装における方法を実行するためのネットワークデバイスを提供する。具体的には、ネットワークデバイスは、上記の第１の態様または第１の態様の任意の可能な実装形態における方法を実行するためのユニットを含む。
【００３６】
第４の態様は、上記第２の態様または第２の態様の任意の可能な実装における方法を実行するための端末デバイスを提供する。具体的には、端末デバイスは、上記の第２の態様または第２の態様の任意の可能な実装形態における方法を実行するためのユニットを含む。
【００３７】
第５の態様は、記憶ユニットと、メモリに記憶された命令を実行するプロセッサとを備えるネットワークデバイスを提供し、プロセッサがメモリに記憶された命令を実行すると、プロセッサに第１の態様または第１の態様の可能な方式の方法を実行させる。
【００３８】
第６の態様は、記憶ユニットと、メモリに記憶された命令を実行するプロセッサとを備える端末デバイスを提供し、プロセッサがメモリに記憶された命令を実行すると、プロセッサに第２の態様または第２の態様の可能な方式の方法を実行させる。
【００３９】
第７の態様は、第１の態様または第１の態様の任意の可能な実装における方法を実行するための命令を含むコンピュータプログラムを記憶するためのコンピュータ可読媒体を提供する。
【００４０】
第８の態様は、第２の態様または第２の態様の可能な実施のいずれかにおける方法を実行するための命令を含むコンピュータプログラムを記憶するためのコンピュータ可読媒体を提供する。
【００４１】
第９の態様は、命令を備えるコンピュータプログラム製品を提供し、コンピュータが前記コンピュータプログラム製品を実行すると、前記コンピュータは、上記第１の態様または第１の態様の任意の可能な実装形態における制御情報を伝送する方法を実行する。具体的には、当該コンピュータプログラム製品は、上記第３の態様のネットワークデバイス上で動作することができる。
【００４２】
第１０の態様は、命令を備えるコンピュータプログラム製品を提供し、コンピュータが前記コンピュータプログラム製品を実行すると、前記コンピュータは、上記第２の態様または第２の態様の任意の可能な実装形態における制御情報を伝送する方法を実行する。具体的には、当該コンピュータプログラム製品は、上記第４の態様の端末デバイス上で動作することができる。
【図面の簡単な説明】
【００４３】
【図１】本願の実施例における制御情報を伝送するための方法のフローチャートである。
【図２】本願の実施例における異なる端末デバイスに構成するサイクリックシフト値の分布図である。
【図３】本願の実施例における制御情報を伝送するための方法の他のフローチャートである。
【図４】本願の実施例におけるネットワークデバイスのブロック図である。
【図５】本願の実施例における端末デバイスのブロック図である。
【図６】本願の実施例におけるネットワークデバイスの他のブロック図である。
【図７】本願の実施例における端末デバイスの他のブロック図である。
【発明を実施するための形態】
【００４４】
以下、本発明の実施例について図面を参照して説明する。
【００４５】
本願の実施例の技術的解決策は、例えば、全地球移動通信( ｇｌｏｂａｌ ｓｙｓｔｅｍ ｏｆ ｍｏｂｉｌｅ Ｃｏｍｍｕｎｉｃａｔｉｏｎ、ＧＳＭＣ )システム、符号分割多元接続( ｃｏｄｅ ｄｉｖｉｓｉｏｎ ｍｕｌｔｉｐｌｅ ａｃｃｅｓｓ、ＣＤＭＡ )システム、広帯域符号分割多元接続( ｗｉｄｅｂａｎｄ ｃｏｄｅ ｄｉｖｉｓｉｏｎ ｍｕｌｔｉｐｌｅ ａｃｃｅｓｓ、ＷＣＤＭＡ )システム、汎用パケット無線サービス( ｇｅｎｅｒａｌ ｐａｃｋｅｔ ｒａｄｉｏ ｓｅｒｖｉｃｅ、ＧＰＲＳ )、ロングタームエボリューション( ｌｏｎｇ ｔｅｒｍ ｅｖｏｌｕｔｉｏｎ、ＬＴＥ )システム、LTE周波数分割複信( ｆｒｅｑｕｅｎｃｙ ｄｉｖｉｓｉｏｎ ｄｕｐｌｅｘ、ＦＤＤ )システム、ＬＴＥ時分割複信( Ｔｉｍｅ  Ｄｉｖｉｓｉｏｎ  Ｄｕｐｌｅｘ、ＴＤＤ )、汎用移動通信システム( ｕｎｉｖｅｒｓａｌ ｍｏｂｉｌｅ ｔｅｌｅｃｏｍｍｕｎｉｃａｔｉｏｎ ｓｙｓｔｅｍ、ＵＭＴＳ )、全地球相互接続マイクロ波アクセス( ｗｏｒｌｄｗｉｄｅ ｉｎｔｅｒｏｐｅｒａｂｉｌｉｔｙ ｆｏｒ ｍｉｃｒｏｗａｖｅ ａｃｃｅｓｓ、ＷｉＭＡＸ )通信システム、将来の第五代( ５ ｔｈ ｇｅｎｅｒａｔｉｏｎ、５Ｇ )システム、又は新規ラジオ( ｎｅｗ ｒａｄｉｏ、ＮＲ )などの様々な通信システムに適用され得る。
【００４６】
本発明の実施例における端末デバイスは、ユーザ装置、アクセス端末、ユーザ装置、ユーザ局、移動局、リモート端末、モバイル装置、ユーザ端末、無線通信装置、ユーザエージェント又はユーザ装置を指すことができる。端末デバイスは、セルラー電話、コードレス電話、セッション開始プロトコル( ｓｅｓｓｉｏｎ ｉｎｉｔｉａｔｉｏｎ ｐｒｏｔｏｃｏｌ、ＳＩＰ )電話、ワイヤレスローカルループ( ｗｉｒｅｌｅｓｓ ｌｏｃａｌ ｌｏｏｐ、ＷＬＬ )局、パーソナルデジタル処理( ｐｅｒｓｏｎａｌ ｄｉｇｉｔａｌ ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来進化する一般陸上モバイル通信ネットワーク( ｐｕｂｌｉｃ ｌａｎｄ ｍｏｂｉｌｅ ｎｅｔｗｏｒｋ、ＰＬＭＮ )における端末デバイスなどであってもよく、本願の実施形態は、それらに限定されるものではない。
【００４７】
本発明の実施例におけるネットワークデバイスは、端末デバイスと通信するための装置であってもよく、該ネットワークデバイスは、ＧＳＭＣシステム又はＣＤＭＡにおける基地局( ｂａｓｅ ｔｒａｎｓｃｅｉｖｅｒ ｓｔａｔｉｏｎ、ＢＴＳ )であってもよく、ＷＣＤＭＡシステムにおける基地局( ＮｏｄｅＢ、ＮＢ )であってもよく、ＬＴＥシステムにおける発展型基地局( ｅｖｏｌｕｔｉｏｎａｌ ＮｏｄｅＢ、ｅＮＢ又はｅＮｏｄｅＢ )であってもよく、クラウド無線アクセスネットワーク( ｃｌｏｕｄ ｒａｄｉｏ ａｃｃｅｓｓ ｎｅｔｗｏｒｋ、ＣＲＡＮ )シナリオ下の無線コントローラであってもよく、又は該ネットワークデバイスは、中継局、アクセスポイント、車載装置、ウェアラブル装置、及び将来の５Ｇネットワークにおけるネットワークデバイス又は将来の発展型ＰＬＭＮネットワークにおけるネットワークデバイス等であってもよく、本発明の実施例は限定されない。
【００４８】
図１は本願の実施例における制御情報を伝送するための方法１００のフローチャートを示し、該方法１００はネットワークデバイスにより実行される。図１に示すように、該方法１００は、以下のステップを含み、Ｓ１１０において、端末デバイスの上り制御チャネルシーケンスの構成を決定し、該上り制御チャネルシーケンスの構成は、初期サイクリックシフト値、サイクリックシフト差分値及びサイクリックシフト値の数のうちの少なくとも１つを含み、Ｓ１２０において、該上り制御チャネルシーケンスの構成に基づいて、上り制御チャネルシーケンスの少なくとも２つのサイクリックシフト値を決定し、Ｓ１２０において、該少なくとも２つのサイクリックシフト値に基づいて、該端末デバイスにより送信されたＵＣＩを決定する。
【００４９】
本発明の実施例における上り制御チャネルシーケンスは制御情報を搬送するためのシーケンスであり得、該上り制御チャネルシーケンスに対応するＵＣＩはＡＣＫ / ＮＡＣＫ情報、例えばハイブリッド自動再送要求( ｈｙｂｒｉｄ ａｕｔｏｍａｔｉｃ ｒｅｐｅａｔ ｒｅｑｕｅｓｔ、ＨＡＲＱ ) ＡＣＫ / ＮＡＣＫ情報を含み、該上り制御チャネルシーケンスに対応するＵＣＩは上りリンクスケジューリングリクエスト( ｓｃｈｅｄｕｌｉｎｇ ｒｅｑｕｅｓｔ、ＳＲ )を含んでもよく、該上り制御チャネルシーケンスに対応するＵＣＩはチャネル状態情報( ｃｈａｎｎｅｌ ｓｔａｔｅ ｉｎｆｏｒｍａｔｉｏｎ、ＣＳＩ )を含んでもよく、本願実施例はこれに限定されない。
【００５０】
本願の実施例において、ネットワークがデバイス端末デバイスの上り制御チャネルシーケンスの構成を決定し、該上り制御チャネルシーケンスの構成に基づいて、上り制御チャネルシーケンスの少なくとも２つのサイクリックシフト値を決定することができる。ここで、上り制御チャネルシーケンスの構成は、初期サイクリックシフト値を含み、該初期サイクリックシフト値は、決定された少なくとも２つのサイクリックシフト値のうちの任意の１つのサイクリックシフト値であっても良く、該上り制御チャネルシーケンスの構成は、さらに、サイクリックシフト差分値を含み、該サイクリックシフト差分値は、少なくとも２つのサイクリックシフト値が数値の大きさでソートしたときの該少なくとも２つのサイクリックシフト値のうちの任意の２つの隣接するサイクリックシフト値の差分であっても良く、該上り制御チャネルシーケンスの構成は、さらに、サイクリックシフト値の数を含み、該サイクリックシフト値の数は、少なくとも２つのサイクリックシフト値の数であり、又は、該サイクリックシフト値の数は、該少なくとも２つのサイクリックシフト値の数よりも大きく、本願の実施例はこれに限定されない。
【００５１】
任意選択で、該上り制御チャネルシーケンスの構成内の初期サイクリックシフト値は、ネットワークデバイスが端末デバイスに構成しても良い。
【００５２】
具体的には、ネットワークデバイスは、予め設定されたテーブルを参照することにより、異なる端末デバイスに対して同一又は異なる初期サイクリックシフト値を構成することができ、この初期サイクリックシフト値は、この上り制御チャネルシーケンスのサイクリックシフト可能な数のうちの任意の値であっても良い。例えば、任意の端末デバイスについて、この端末デバイスの上り制御チャネルシーケンスのサイクリックシフト数が０〜１１の範囲であれば、０〜１１の１２個の内のいずれかの値を初期サイクリックシフト値としてもよい。
【００５３】
任意選択で、該上り制御チャネルシーケンスの構成におけるサイクリックシフト差分値及び/又はサイクリックシフト値の数は、端末デバイスがフィードバックを必要とするデータブロックの個数に応じて決定されてもよい。例えば、端末デバイスが送信するＵＣＩがフィードバックを必要とする少なくとも一つのデータブロックのＡＣＫ / ＮＡＣＫ情報であると仮定すると、具体的には、端末デバイスが一つのデータブロックのＡＣＫ / ＮＡＣＫ情報をフィードバックする必要がある場合、１ ｂｉｔによるフィードバックを用いることができ、この１ ｂｉｔが２つのサイクリックシフト値に対応し、この２つのサイクリックシフト値がＡＣＫ情報及びＮＡＣＫ情報にそれぞれ対応し、端末デバイスが２つのデータブロックのＡＣＫ / ＮＡＣＫ情報をフィードバックする必要がある場合、２ ｂｉｔによりフィードバックし、この２ ｂｉｔが４つのサイクリックシフト値に対応し、この４つのサイクリックシフト値が各データブロックのＡＣＫ / ＮＡＣＫ情報にそれぞれ対応し、このように、他の数のデータブロックのＡＣＫ / ＮＡＣＫ情報を類推することができる。また、例えば、ネットワークデバイスは、サイクリックシフト値の数に応じてサイクリックシフト差分値を決定してもよく、例えば、サイクリックシフト値が２つの場合には、サイクリックシフト差分値を６に設定し、サイクリックシフト値が４つの場合、サイクリックシフト差分値は３となるが、本願実施例はこれに限定されない。
【００５４】
任意選択で、ネットワークがデバイス端末デバイスの上り制御チャネルシーケンスの構成を決定した後、端末デバイスに該上り制御チャネルシーケンスの構成のうちの少なくとも１つを送信し、これにより、端末デバイスは、該上り制御チャネルシーケンスの構成に基づいて、上り制御チャネルシーケンスの少なくとも２つのサイクリックシフト値を決定し、ここで、該少なくとも２つのサイクリックシフト値とＵＣＩの少なくとも２つの状態とは、一対一対応し、端末デバイスが該少なくとも２つのサイクリックシフト値に基づいて、送信されるＵＣＩの目標状態に対する目標サイクリックシフト値を決定し、さらに、該目標サイクリックシフト値に対応する目標上り制御チャネルシーケンスを決定し、ネットワークデバイスに該目標上り制御チャネルシーケンスを送信する。
【００５５】
これに対応し、ネットワークデバイスは、端末デバイスにより送信された該目標上り制御チャネルシーケンスを受信し、該端末デバイスの上り制御チャネルシーケンスの構成を決定し、該上り制御チャネルシーケンスの構成に基づいて上り制御チャネルシーケンスの少なくとも２つのサイクリックシフト値を決定し、ネットワークデバイスは、受信された目標上り制御チャネルシーケンスを検出し、該目標上り制御チャネルシーケンスが端末デバイスが前記少なくとも２つのサイクリックシフト値内の目標サイクリックシフト値を使用するシーケンスであるため、ネットワークデバイスは、該端末デバイスにより送信された目標上り制御チャネルシーケンスに対応する目標サイクリックシフト値を決定し、さらに、該目標サイクリックシフト値に対応するＵＣＩの目標状態を決定することができる。
【００５６】
なお、ネットワークデバイスが上り制御チャネルシーケンスの構成を決定し、該上り制御チャネルシーケンスの構成に基づいて、少なくとも２つのサイクリックシフト値を決定することは、ネットワークデバイスが上り制御チャネルシーケンスの構成に基づいて、モジュロ演算により少なくとも２つのサイクリックシフト値を決定することを含む。具体的に、モジュロ演算は、以下の方式で実現するが、本願の実施例はこれに限定されない。
【００５７】
任意選択で、実施例として、ネットワークデバイスは、上り制御チャネルシーケンスの構成に応じて、少なくとも２つのサイクリックシフト値をモジュロ演算により決定することは、この上り制御チャネルシーケンスのサイクリックシフト可能な数の範囲内で、上り制御チャネルシーケンスの構成における初期サイクリックシフト値とサイクリックシフト差分値との大小関係に応じて、少なくとも２つのサイクリックシフト値を決定することを含む。具体的には、初期サイクリックシフト値がサイクリックシフト差分値よりも小さい場合には、この上り制御チャネルシーケンスのサイクリックシフト可能数の範囲内で、初期サイクリックシフト値と整数倍のサイクリックシフト差分値との和を順次計算して、少なくとも２つのサイクリックシフト差分値を得る。例えば、初期サイクリックシフト値を１、サイクリックシフト差分を３、上り制御チャネルシーケンスのサイクリックシフト可能なデータ範囲を０〜１１とすると、１＜３であるから、１-１１の間で、１と３の整数倍の和、すなわち、１、１＋３ * １＝４、１＋３ * ２ =７、１＋３ * ３ =１０が得られた４つのサイクリックシフト値として順次計算される。
【００５８】
また、初期サイクリックシフト値がサイクリックシフト差分値以上である場合には、この上り制御チャネルシーケンスのサイクリックシフト可能数の範囲内で、初期サイクリックシフト値と整数倍のサイクリックシフト差分値との和と、初期サイクリックシフト値と整数倍のサイクリックシフト差分値との差とを順次算出し、共に少なくとも２つのサイクリックシフト差分値を得る。例えば、初期サイクリックシフト値を８、サイクリックシフト差分を３、上り制御チャネルシーケンスのサイクリックシフト可能なデータ範囲を０〜１１とすると、８＞３なので、１〜１１の間で、８と３の整数倍の和、すなわち８と８＋３ * １＝１１が２つのサイクリックシフト値であり、さらに８と３の整数倍の差、すなわち８、８-３ * １＝５、８-３ *＝２の３つのサイクリックシフト値が順次計算され、得られる４つのサイクリックシフト値は、それぞれ２、５、８、１１となる。
【００５９】
2021510023.tif 000044
ここで、iはサイクリックシフト値の順番であり、iは０からサイクリックシフト値の数の間の値を順次とることができ、例えば、サイクリックシフト値が全部で４つであれば、iは０、１、２、及び３を順次とることができ、αは初期サイクリックシフト値を表し、αは該上り制御チャネルシーケンスのサイクリックシフト可能な数の範囲内のいずれかの値でもよく、δはサイクリックシフト差分値を表し、Ｎは上り制御チャネルシーケンスのサイクリックシフト可能な数、すなわちその上り制御チャネルシーケンスがサイクリックシフトできる数の範囲内の数値個数を示す。Ｎは、プロトコル約定またはシグナリング構成であり得る。シグナリング構成は、明示的または暗黙的であり得る。
【００６０】
例えば、ネットワークデバイスが端末デバイスにＰＵＣＣＨリソース１を構成する場合、この端末デバイスの上り制御チャネルシーケンスのサイクリックシフト可能な数は、０から１１までの１２個の数値、即ちＮ＝１２であり、サイクリックシフト開始値α= ０であるとする。端末デバイスが１ ｂｉｔのＡＣＫ / ＮＡＣＫ情報をフィードバックする必要がある場合、２つのサイクリックシフト値に対応し、すなわちiが０と１を順次取り、対応するサイクリックシフト差分値をδ= ６に設定することができ、この場合、Φ( ０ )＝( ０＋０ * ６) mod１２＝０、Φ( １ )＝( ０＋１ * ６) mod１２＝６、すなわち２つのサイクリックシフト値０と６が得られる。端末デバイスが２ ｂｉｔのＡＣＫ / ＮＡＣＫ情報をフィードバックする場合、４つのサイクリックシフト値に対応し、iを０、１、２、３とし、それぞれのサイクリックシフト差分値をδ= ３とすると、Φ( ０ )＝( ０＋０ * ３ ) mod１２＝０、Φ( １ )＝( ０＋１ * ３ ) mod１２ =３、Φ( ２ )＝( ０＋２ * ３) mod１２＝６、Φ( ３ )＝( ０＋３ * ３ ) mod１２＝９であり、即ち、４つのサイクリックシフト値０、３、６、９が得られる。
【００６１】
また、例えば、ネットワークデバイスが他の端末デバイスのためのＰＵＣＣＨリソース２を構成する場合、端末デバイスの上り制御チャネルシーケンスのサイクリックシフト可能な範囲は、０〜１１であり、１２個の値、Ｎ＝１２であり、サイクリックシフト初期値α= ９であるとする。端末デバイスが１ ｂｉｔのＡＣＫ / ＮＡＣＫ情報をフィードバックする必要がある場合、２つのサイクリックシフト値に対応し、すなわち、iが０と１を順次取り、対応するサイクリックシフト差分値をδ= ６に設定することができ、この場合、Φ( ０ )＝( ９＋０ * ６) mod１２＝９、Φ( １ )＝( ９＋１ *６ ) mod１２＝３、すなわち２つのサイクリックシフト値９と３が得られる。端末デバイスが２ ｂｉｔのＡＣＫ / ＮＡＣＫ情報をフィードバックする場合、４つのサイクリックシフト値に対応し、即ち、iを０、１、２、３とし、それぞれのサイクリックシフト差分値をδ= ３とし、この場合、Φ( ０ )＝( ９＋０ * ３ ) mod１２ =９、Φ( １ )＝( ９＋１ * ３ ) mod１２ =０、Φ( ２ )＝( ９＋２ *３ ) mod１２ =３、Φ( ３ )＝( ９＋３ *３ ) mod１２＝６であり、４つのサイクリックシフト値９、０、３、６が得られる。
【００６２】
2021510023.tif 000045
ここで、iはサイクリックシフト値の順番であり、iは０からサイクリックシフト値の数の間の値を順次とることができ、例えば、サイクリックシフト値が全部で４つであれば、iは０、１、２、及び３を順次とることができ、αは初期サイクリックシフト値を表し、αは該上り制御チャネルシーケンスのサイクリックシフトできる数の範囲内のいずれかの値でもよく、δはサイクリックシフト差分値を表し、Ｎは上り制御チャネルシーケンスがサイクリックシフトできる個数、即ち該上り制御チャネルシーケンスがサイクリックシフトできる数の範囲内の数値個数を表し、Ｎはプロトコル約定又はシグナリング配置されてよい。シグナリング構成は、明示的または暗黙的であり、hはホッピング数であり、hはホッピングパラメータに関する関数とすることができ、例えば、ホッピングパラメータは時間領域識別子tとすることができ、h＝h(t)、任意選択で、時間領域識別子は時間、シンボル数、サブフレーム番号、又は他の時間領域識別子とすることができ、本発明の実施形態はこれに限定されない。
【００６３】
例えば、ネットワークデバイスが端末デバイスにＰＵＣＣＨリソース３を構成し、端末デバイスの上り制御チャネルシーケンスのサイクリックシフト可能な範囲が０〜１１であり、合計１２、即ちＮ＝１２であり、サイクリックシフト開始値α= ３は、ホッピング値がh(t)を満たし、ここで、tが時間領域識別子を識別するホッピングパラメータである。端末デバイスが１ ｂｉｔのＡＣＫ / ＮＡＣＫ情報をフィードバックする必要がある場合、２つのサイクリックシフト値に対応し、すなわち、iが０と１を順次取り、対応するサイクリックシフト差分値をδ= ６に設定することができ、この場合、２つのサイクリックシフト値は、それぞれΦ( ０ )＝( ３＋０ * ６+ h(t) ) mod１２＝( ３＋h(t) ) mod１２及びΦ( １ )＝( ３＋１ * ６＋h(t) ) mod１２＝( ９＋h(t) ) mode１２として得られ、h(t)=２が計算されると、２つのサイクリックシフト値５及び１１が得られる。
【００６４】
端末デバイスが２ ｂｉｔのＡＣＫ / ＮＡＣＫ情報をフィードバックする必要がある場合、４つのサイクリックシフト値に対応し、即ち、iを０、１、２、３とし、対応するサイクリックシフト差分値をδ= ３とすると、４つのサイクリックシフト値は、それぞれ、Φ( ０ )＝( ３＋０ * ３＋h(t) ) mod１２＝( ３＋h(t) ) mod１２、Φ( １ )＝( ３＋１ * ３+ h(t) ) mod１２＝( ６＋h(t) ) mod１２、Φ( ２ )＝( ３＋２ * ３+ h(t) ) mod１２＝( ９＋h(t) ) mod１２、Φ( ３ )＝( ３＋３ * ３＋h(t) ) mod１２＝h(t) mod１２として求められ、h(t) =１が計算されると、４つのサイクリックシフト値４、７、１０、１が得られる。
【００６５】
任意選択で、実施例として、ネットワークデバイスが上り制御チャネルシーケンスの構成に基づいて、モジュロ演算により少なくとも２つのサイクリックシフト値を決定することは、ネットワークデバイスが上り制御チャネルシーケンスの構成の初期サイクリックシフト値に基づいて、テーブルを検索して少なくとも２つのサイクリックシフト値を取得する。具体的に、異なる上り制御チャネルシーケンスの構成、例えば、異なる初期サイクリックシフト値に基づいて、各種の上り制御チャネルシーケンスの構成に対応する少なくとも２つのサイクリックシフト値を決定し、テーブルを生成し、ネットワークデバイスが初期サイクリックシフト値を決定する時に、このテーブルを検索して該初期サイクリックシフト値に対応する少なくとも２つのサイクリックシフト値を取得することができる。
【００６６】
なお、本願の実施例における上り制御チャネルシーケンスのサイクリックシフト可能な数の範囲は、１つの物理リソースブロック( Ｐｈｙｓｉｃａｌ ｒｅｓｏｕｒｃｅ ｂｌｏｃｋ、ＰＲＢ )内に対応し得る。具体的には例えば、該ＵＣＩが含むＡＣＫ / ＮＡＣＫ情報が１つのＰＲＢに対応し得る場合、上り制御チャネルシーケンスは該ＰＲＢ内でサイクリックシフト可能な数の範囲内で、少なくとも２つのサイクリックシフト値を決定し、また、例えば、ＵＣＩが有するＳＲが、他のＰＲＢに対応していれば、上り制御チャネルシーケンスは、他のＰＲＢでサイクリックシフト可能な数の範囲内で、少なくとも２つのサイクリックシフト値を決定する。また、この２つのＰＲＢに対応する上り制御チャネルシーケンスの組み合わせ方の個数は、ＡＣＫ / ＮＡＣＫ情報に対応するＰＲＢの少なくとも２つのサイクリックシフト値とＳＲに対応するＰＲＢの少なくとも２つのサイクリックシフト値との積に等しい。
【００６７】
例えば、２ ｂｉｔのＡＣＫ / ＮＡＣＫ情報に対してn番目のＰＲＢが対応可能であり、該ＰＲＢが対応する上り制御チャネルシーケンスがサイクリックシフトできる数の範囲で４つのサイクリックシフト値が特定され、１ ｂｉｔのＳＲはn＋m番目のＰＲＢに対応してもよく、このＰＲＢに対応する上り制御チャネルシーケンスがサイクリックシフトできる数の範囲内で２つのサイクリックシフト値が決定される場合、この２つのＰＲＢに対応するシーケンスの組み合わせは、２ * ４＝８である。ここで、nはＰＵＣＣＨリソース構成指示によって決定され、mは、予め定義された規則に基づいて得られ得、たとえば、ＰＵＣＣＨ占有の総ＰＲＢ数はＮであり、m＝Ｎ＋１である。
【００６８】
本発明の実施例では、少なくとも２つのサイクリックシフト値は、ＵＣＩの少なくとも２つの状態に対応し、具体的には、少なくとも２つのサイクリックシフト値の大きさの順位に基づいて、各サイクリックシフト値に対応するＵＣＩの状態が決定されてもよく、あるいは、少なくとも２つのサイクリックシフト値の決定の順位に基づいて、各サイクリックシフト値に対応するＵＣＩの状態が決定されてもよい。
【００６９】
任意選択で、少なくとも２つのサイクリックシフト値に応じた大きさの順序で、各サイクリックシフト値に対応するＵＣＩの状態が決定される。具体的には、決定された少なくとも２つのサイクリックシフト値が、数値の大きさで順に、各ＵＣＩの状態に対応する。例えば、式( １ )または式( ２ )を用いて、少なくとも２つのサイクリックシフト値を決定すると、その少なくとも２つのサイクリックシフト値は、それぞれ、Φ( ０ )、Φ( １ )、Φ( ２ )……であり、さらに、小さいから順に、Φ( １ )、Φ( ０ )、Φ( ３ )……であるとすると、その少なくとも２つのサイクリックシフト値の大きさの順に、ＵＣＩの少なくとも２つの状態に対応する。
【００７０】
例えば、１ ｂｉｔのＡＣＫ / ＮＡＣＫ情報に対して、ＡＣＫとＮＡＣＫの２つの状態が２つのサイクリックシフト値に対応し、式( １ )又は式( ２ )のようにサイクリックシフト値が決定され、最大値がＡＣＫに対応し、最小値がＮＡＣＫに対応する場合、初期サイクリックシフト値が３であり、Φ( ０ )＝３、Φ( １ )＝９が決定された場合、又は初期サイクリックシフト値が９であり、Φ( ０ )＝９、Φ( １ )＝３が決定された場合、いずれも９がＡＣＫに対応し、３がＮＡＣＫに対応することが決定される。
【００７１】
任意選択で、少なくとも２つのサイクリックシフト値による決定の順番については、各サイクリックシフト値に対応するＵＣＩの状態が決定される。具体的には、初期サイクリックシフト値は、少なくとも２つのサイクリックシフト値のうちの最初に決定されたサイクリックシフト値であり、ＵＣＩの少なくとも２つの状態に第１の状態が含まれ、初期サイクリックシフト値が第１の状態に対応する。例えば、式( １ )または式( ２ )のように、少なくとも２つのサイクリックシフト値が決定されるとすると、その少なくとも２つのサイクリックシフト値の決定順序は、Φ( ０ )、Φ( １ )、Φ( ２ )……であり、その少なくとも２つのサイクリックシフト値は、その順序で、ＵＣＩの少なくとも２つの状態にそれぞれ対応する。
【００７２】
例えば、１ ｂｉｔのＡＣＫ / ＮＡＣＫ情報に対して、ＡＣＫとＮＡＣＫの２つの状態が２つのサイクリックシフト値に対応すると仮定して、式( １ )又は( ２ )のようにサイクリックシフト値を決定し、Φ( ０ )をＡＣＫに、Φ( １ )をＮＡＣＫに対応させることができれば、表１に示すような対応関係が得られる。
【００７３】
【表１】
2021510023.tif 000046
【００７４】
2021510023.tif 000047
【００７５】
また、例えば、２ ｂｉｔのＡＣＫ / ＮＡＣＫ情報に対して、２つのデータブロックがそれぞれＡＣＫとＮＡＣＫの２つの状態に対応し、合計４つのサイクリックシフト値に対応し、それぞれΦ( ０ )、Φ( １ )、Φ( ２ )、Φ( ３ )として、式( １ )又は式( ２ )のように４つのサイクリックシフト値が決定されると仮定すると、その具体的な対応関係は、表２に示す通りであってもよい。
【００７６】
【表２】
2021510023.tif 000048
【００７７】
2021510023.tif 000049
【００７８】
また、例えば、２つのＰＲＢの場合、２つのＰＲＢが第１のＰＲＢ及び第２のＰＲＢであり、ここで、第１のＰＲＢ内の２ ｂｉｔのＡＣＫ / ＮＡＣＫ情報に、２つのデータブロックがそれぞれＡＣＫ及びＮＡＣＫの２つの状態に対応し、合計４つのサイクリックシフト値に対応し、式( １ )又は( ２ )のように、それぞれΦ( ０ )、Φ( １ )、Φ( ２ )、及びΦ( ３ )としてサイクリックシフト値が決定されると仮定し、第２のＰＲＢにおける１ ｂｉｔのＳRについて肯定（ｐｏｓｉｔｉｖｅ）と否定（ｎｅｇａｔｉｖｅ）の２つの状態が存在するとすると、第１のＰＲＢにおける２ ｂｉｔのＡＣＫ / ＮＡＣＫ情報と、第２のＰＲＢにおける１ ｂｉｔのpositive ＳRとnegative ＳRと、それぞれのサイクリックシフト値との対応関係は、次の表３のように表すことができる
【００７９】
【表３】
2021510023.tif 000050
【００８０】
2021510023.tif 000051
【００８１】
このように、少なくとも２つのサイクリックシフト値の決定順序に従って、対応するＵＣＩの状態を決定することにより、異なる初期サイクリックシフト値を設定することにより、ＡＣＫ / ＮＡＣＫ情報に対応するサイクリックシフト値を調整することができ、近接するサイクリックシフト値同士が干渉する可能性があるため、高い確率で、近接するサイクリックシフト値に状態がマッピングされることを回避することができる。例えば、図２は、より合理的に構成された結果であり、図２から分かるように、ＡはＡＣＫ情報を表し、ＣはＮＡＣＫ情報を表し、Ｐは情報の組み合わせの確率を表し、したがって、異なる端末デバイスの高い確率状態のＡＣＫ間の対応するサイクリックシフト値間隔はより大きい。
【００８２】
そして、本願の実施例における制御情報を伝送するための方法において、ネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、受信された端末デバイスからの上り制御チャネルシーケンスが示すＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００８３】
以上、図１及び図２を参照して、本発明の一実施例に係る制御情報を伝送するための方法をネットワークデバイスの観点から詳細に説明したが、図３を参照して、本発明の一実施例に係る制御情報を伝送するための方法を端末デバイスの観点から説明する。
【００８４】
図３示は本願の実施例における制御情報を伝送するための方法２００のフローチャートを示し、該方法２００が端末デバイスにより実行される。図３に示すように、該方法２００は、以下のステップを含み、Ｓ２１０において、上り制御チャネルシーケンスの構成を決定し、該上り制御チャネルシーケンスの構成は、初期サイクリックシフト値、サイクリックシフト差分値及びサイクリックシフト値の数のうちの少なくとも１つを含み、Ｓ２２０において、該上り制御チャネルシーケンスの構成に基づいて、上り制御チャネルシーケンスの少なくとも２つのサイクリックシフト値を決定し、Ｓ２３０において、該少なくとも２つのサイクリックシフト値のうちの少なくとも１つを利用して、ネットワークデバイスにＵＣＩを送信する。
【００８５】
そして、本願の実施例における制御情報を伝送するための方法において、端末デバイスが上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、送信する必要があるＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００８６】
任意選択で、該上り制御チャネルシーケンスの構成を決定することは、該ネットワークデバイスにより送信された該上り制御チャネルシーケンスの構成を受信することを含む。
【００８７】
任意選択で、該該上り制御チャネルシーケンスの構成に基づいて、上り制御チャネルシーケンスの少なくとも２つのサイクリックシフト値を決定することは、該上り制御チャネルシーケンスの構成に基づいて、モジュロ演算により該少なくとも２つのサイクリックシフト値を決定することを含む。
【００８８】
2021510023.tif 000052
【００８９】
任意選択で、該上り制御チャネルシーケンスの構成が、さらにホッピングパラメータを含む。
【００９０】
2021510023.tif 000053
【００９１】
任意選択で、該方法は、さらに、フィードバックされたデータブロックの数に基づいて、該サイクリックシフト差分値及び／又は該サイクリックシフト値の数を決定する。
【００９２】
任意選択で、該上り制御チャネルシーケンスは、制御情報が搬送されるシーケンスである。
【００９３】
任意選択で、該少なくとも２つのサイクリックシフト値に基づいて、ネットワークデバイスにＵＣＩを送信することは、該少なくとも２つのサイクリックシフト値から、ＵＣＩに対応する目標サイクリックシフト値を決定し、該目標サイクリックシフト値に基づいて、対応する目標上り制御チャネルシーケンスを決定し、該ネットワークデバイスに該目標上り制御チャネルシーケンスを送信し、該目標上り制御チャネルシーケンスが該ＵＣＩを示す。
【００９４】
任意選択で、該少なくとも２つのサイクリックシフト値は、該ＵＣＩの少なくとも２つの状態に一対一対応する。
【００９５】
任意選択で、該少なくとも２つのサイクリックシフト値からＵＣＩに対応する目標サイクリックシフト値を決定することは、該少なくとも２つのサイクリックシフト値からＵＣＩの目標状態に対応する目標サイクリックシフト値を決定することを含み、該目標上り制御チャネルシーケンスは、該目標状態を示す。
【００９６】
任意選択で、該ＵＣＩの該少なくとも２つの状態が第１の状態を含み、該初期サイクリックシフト値が該第１の状態に対応する。
【００９７】
そして、本願の実施例における制御情報を伝送するための方法において、端末デバイスが上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、送信する必要があるＵＣＩに対応する目標サイクリックシフト値を決定し、該目標サイクリックシフト値を利用して上り制御チャネルシーケンスを送信し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【００９８】
なお、本発明の様々な実施例において、上述のプロセスの順序のサイズは、実行順序の先後を意味するものではなく、各プロセスの実行順序は、その機能及び内部ロジックにおいて決定されるべきであり、本発明の実施形態のプロセスを何ら限定するものではない。
【００９９】
また、ここでいう「及び/又は」とは、単に関連のある対象を記述するための関連関係の一種であり、Ａ及び/又はＢの３種類の関係が存在し得ることを示し、Ａのみ、ＡとＢが同時に存在すること、Ｂのみが存在することの３種類の場合があり得ることを示す。なお、本文中の「/」の文字は、前後の関連オブジェクトが一種の「または」の関係であることを一般的に示す。
【０１００】
以上、図１〜図３を参照して本発明の一実施例による制御情報を伝送するための方法について詳細に説明したが、以下、図４〜図７を参照して本発明の一実施例によるネットワークデバイス及び端末デバイスについて説明する。
【０１０１】
図４に示すように、本願の実施例におけるネットワークデバイス３００は、決定ユニット３１０を含み、任意選択で、さらに、送信ユニット３２０を含み、受信ユニット３３０を含む。
【０１０２】
具体的に、決定ユニット３１０は、端末デバイスの上り制御チャネルシーケンスの構成を決定するように構成され、該上り制御チャネルシーケンスの構成は、初期サイクリックシフト値、サイクリックシフト差分値及びサイクリックシフト値の数のうちの少なくとも１つを含み、該決定ユニット３１０は、さらに、該上り制御チャネルシーケンスの構成に基づいて、上り制御チャネルシーケンスの少なくとも２つのサイクリックシフト値を決定するように構成され、該決定ユニット３１０は、さらに、該少なくとも２つのサイクリックシフト値のうちの少なくとも１つを利用して、該端末デバイスにより送信されたＵＣＩを決定するように構成される。
【０１０３】
そして、本願の実施例におけるネットワークデバイスは、端末デバイスに構成された上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、端末デバイスにより送信されたＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１０４】
任意選択で、送信ユニット３２０は、該決定ユニット３１０が該端末デバイスの該上り制御チャネルシーケンスの構成を決定した後、該端末デバイスに該上り制御チャネルシーケンスの構成のうちの少なくとも１つを送信するように構成される。
【０１０５】
任意選択で、該決定ユニット３１０は、具体的に、該上り制御チャネルシーケンスの構成に基づいて、モジュロ演算により該少なくとも２つのサイクリックシフト値を決定するように構成される。
【０１０６】
2021510023.tif 000054
【０１０７】
任意選択で、該上り制御チャネルシーケンスの構成が、さらにホッピングパラメータを含む。
【０１０８】
2021510023.tif 000055
【０１０９】
任意選択で、該決定ユニット３１０は、具体的に、該端末デバイスからフィードバックされたデータブロックの数に基づいて、該サイクリックシフト値の数及び／又は該サイクリックシフト差分値を決定するように構成される。
【０１１０】
任意選択で、該上り制御チャネルシーケンスは、制御情報が搬送されるシーケンスである。
【０１１１】
任意選択で、該受信ユニット３３０は、端末デバイスにより送信された目標上り制御チャネルシーケンスを受信し、該決定ユニット３２０は、具体的に、該少なくとも２つのサイクリックシフト値から該目標上り制御チャネルシーケンスに対応する目標サイクリックシフト値を決定し、該目標サイクリックシフト値に基づいて、対応するＵＣＩを決定する。
【０１１２】
任意選択で、該少なくとも２つのサイクリックシフト値は、該ＵＣＩの少なくとも２つの状態に一対一対応する。
【０１１３】
任意選択で、該決定ユニット３１０は、具体的に、該少なくとも２つの状態から該目標サイクリックシフト値に対応するＵＣＩの状態を目標状態として決定するように構成される。
【０１１４】
任意選択で、該ＵＣＩの該少なくとも２つの状態が第１の状態を含み、該初期サイクリックシフト値が該第１の状態に対応する。
【０１１５】
本発明の実施例におけるネットワークデバイス３００は、本発明の実施例における方法１００を実行することに対応してもよく、ネットワークデバイス３００の各ユニットの上記及び他の動作及び/又は機能は、それぞれ、図１〜図３の各方法のネットワークデバイス対応フローを実施するために、簡潔のためにここでは説明を省略する。
【０１１６】
そして、本願の実施例におけるネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、受信された端末デバイスからの上り制御チャネルシーケンスが示すＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１１７】
図５は、本願の実施例における端末デバイス４００を示し、決定ユニット４１０及び送信ユニット４２０を含み、任意選択で、さらに、受信ユニット４３０を含む。
【０１１８】
具体的に、決定ユニット４１０は、上り制御チャネルシーケンスの構成を決定するように構成され、該上り制御チャネルシーケンスの構成は、初期サイクリックシフト値、サイクリックシフト差分値及びサイクリックシフト値の数のうちの少なくとも１つを含み、該決定ユニット４１０は、さらに、該上り制御チャネルシーケンスの構成に基づいて、上り制御チャネルシーケンスの少なくとも２つのサイクリックシフト値を決定するように構成され、該送信ユニット４２０は、該少なくとも２つのサイクリックシフト値のうちの１つを利用して、ネットワークデバイスにＵＣＩを送信するように構成される。
【０１１９】
そして、本願の実施例における端末デバイスは、上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、送信する必要があるＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１２０】
任意選択で、受信ユニット４３０は、該ネットワークデバイスにより送信された該上り制御チャネルシーケンスの構成を受信するように構成される。
【０１２１】
任意選択で、該決定ユニット４１０は、具体的に、該上り制御チャネルシーケンスの構成に基づいて、モジュロ演算により該少なくとも２つのサイクリックシフト値を決定するように構成される。
【０１２２】
2021510023.tif 000056
【０１２３】
任意選択で、該上り制御チャネルシーケンスの構成が、さらにホッピングパラメータを含む。
【０１２４】
2021510023.tif 000057
【０１２５】
任意選択で、該決定ユニット４１０は、具体的に、フィードバックされたデータブロックの数に基づいて、該サイクリックシフト差分値及び／又は該サイクリックシフト値の数を決定するように構成される。
【０１２６】
任意選択で、該上り制御チャネルシーケンスは、制御情報が搬送されるシーケンスである。
【０１２７】
任意選択で、該決定ユニット４１０は、具体的に、該少なくとも２つのサイクリックシフト値からＵＣＩに対応する目標サイクリックシフト値を決定し、該目標サイクリックシフト値に基づいて、対応する目標上り制御チャネルシーケンスを決定するように構成され、該送信ユニット４２０は、具体的に、該ネットワークデバイスに該目標上り制御チャネルシーケンスを送信するように構成され、該目標上り制御チャネルシーケンスは、該ＵＣＩを示す。
【０１２８】
任意選択で、該少なくとも２つのサイクリックシフト値は、該ＵＣＩの少なくとも２つの状態に一対一対応する。
【０１２９】
任意選択で、該決定ユニット４１０は、具体的に、該少なくとも２つのサイクリックシフト値からＵＣＩの目標状態に対応する該目標サイクリックシフト値を決定するように構成される。
【０１３０】
任意選択で、該ＵＣＩの該少なくとも２つの状態が第１の状態を含み、該初期サイクリックシフト値が該第１の状態に対応する。
【０１３１】
本発明の一実施例に係る端末デバイス４００は、本発明の一実施例に係る方法２００を実行することに対応し、端末デバイス４００の各部における上述した及びその他の動作及び/又は機能は、図１乃至図３に示す各方法を実現するための端末デバイスに対応するフローのために、それぞれ簡略化のために、ここでは説明を省略する。
【０１３２】
そして、本願の実施例における端末デバイスは、上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、送信する必要があるＵＣＩに対応する目標サイクリックシフト値を決定し、該目標サイクリックシフト値を利用して上り制御チャネルシーケンスを送信し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１３３】
図６は、本発明の実施形態に係るネットワークデバイス５００の概略ブロック図を示しており、図６に示すように、該ネットワークデバイス５００は、プロセッサ５１０と、プロセッサ５１０に接続された送受信機５２０と、を備え、必要に応じて、プロセッサ５１０に接続されたメモリ５３０をさらに備える。命令を記憶するために使用され得るメモリ５３０、および送受信機５２０は、送受信機５２０を制御するためにメモリ５３０によって記憶された命令を実行するように動作するプロセッサ５１０と、内部接続経路を通して互いに通信し、データ信号を転送および/または制御するように構成され、該プロセッサ５１０は、端末デバイスの上り制御チャネルシーケンスの構成を決定し、該上り制御チャネルシーケンスの構成は、初期サイクリックシフト値、サイクリックシフト差分値及びサイクリックシフト値の数のうちの少なくとも１つを含み、該上り制御チャネルシーケンスの構成に基づいて、上り制御チャネルシーケンスの少なくとも２つのサイクリックシフト値を決定し、該少なくとも２つのサイクリックシフト値のうちの少なくとも１つを利用して、該端末デバイスにより送信されたＵＣＩを決定する。
【０１３４】
そして、本願の実施例におけるネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、端末デバイスにより送信されたＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１３５】
任意選択で、実施例として、該送受信機５２０は、該プロセッサ５１０が該端末デバイスの該上り制御チャネルシーケンスの構成を決定した後、該端末デバイスに該上り制御チャネルシーケンスの構成のうちの少なくとも１つを送信するように構成される。
【０１３６】
任意選択で、実施例として、該プロセッサ５１０は、該上り制御チャネルシーケンスの構成に基づいて、モジュロ演算により該少なくとも２つのサイクリックシフト値を決定するように構成される。
【０１３７】
2021510023.tif 000058
【０１３８】
任意選択で、実施例として、該上り制御チャネルシーケンスの構成が、さらにホッピングパラメータを含む。
【０１３９】
2021510023.tif 000059
【０１４０】
任意選択で、実施例として、該プロセッサ５１０は、該端末デバイスからフィードバックされたデータブロックの数に基づいて、該サイクリックシフト値の数及び／又は該サイクリックシフト差分値を決定するように構成される。
【０１４１】
任意選択で、実施例として、該上り制御チャネルシーケンスは、制御情報が搬送されるシーケンスである。
【０１４２】
任意選択で、実施例として、該送受信機５２０は、端末デバイスにより送信された目標上り制御チャネルシーケンスを受信するように構成され、該プロセッサ５１０は、該少なくとも２つのサイクリックシフト値から、該目標上り制御チャネルシーケンスに対応する目標サイクリックシフト値を決定し、該目標サイクリックシフト値に基づいて、対応するＵＣＩを決定するように構成される。
【０１４３】
任意選択で、実施例として、該少なくとも２つのサイクリックシフト値は、該ＵＣＩの少なくとも２つの状態に一対一対応する。
【０１４４】
任意選択で、実施例として、該プロセッサ５１０は、該少なくとも２つの状態から該目標サイクリックシフト値に対応するＵＣＩの状態を目標状態として決定するように構成される。
【０１４５】
任意選択で、実施例として、該ＵＣＩの該少なくとも２つの状態が第１の状態を含み、該初期サイクリックシフト値が該第１の状態に対応する。
【０１４６】
なお、本発明の実施形態によるネットワークデバイス５００は、本発明の実施形態によるネットワークデバイス３００に対応し、本発明の実施形態による方法１００を実行する対応するエージェントに対応してもよく、ネットワークデバイス５００における様々なユニットの上記及び他の動作及び/又は機能は、図１〜図３における様々な方法におけるネットワークデバイスの対応するフローをそれぞれ実現するために、簡潔のためにここで説明を省略する。
【０１４７】
そして、本願の実施例におけるネットワークデバイスは、端末デバイスの上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、受信された端末デバイスからの上り制御チャネルシーケンスが示すＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１４８】
図７は、本発明の一実施形態による端末デバイス６００の概略ブロック図を示し、図７に示すように、端末デバイス６００は、プロセッサ６１０と、プロセッサ６１０に接続された送受信機６２０と、任意で、メモリ６３０をさらに含む。ここで、プロセッサ６１０と、メモリ６３０と、送受信機６２０との間で内部接続経路を介して相互に通信してデータ信号を伝送及び/又は制御するプロセッサ６２０であって、メモリ６３０は命令を格納するために使用され、プロセッサ６１０は、メモリ６３０に格納された命令を実行して、送受信機６２０を制御して情報又は信号を送信するために使用され、該プロセッサ６１０は、上り制御チャネルシーケンスの構成を決定し、該上り制御チャネルシーケンスの構成は、初期サイクリックシフト値、サイクリックシフト差分値及びサイクリックシフト値の数のうちの少なくとも１つを含み、該上り制御チャネルシーケンスの構成に基づいて、上り制御チャネルシーケンスの少なくとも２つのサイクリックシフト値を決定するように構成され、該送受信機６２０は、該少なくとも２つのサイクリックシフト値のうちの少なくとも１つを利用して、ネットワークデバイスにＵＣＩを送信するように構成される。
【０１４９】
そして、本願の実施例における端末デバイスは、上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、上り制御チャネルシーケンスの少なくとも２つのサイクリックシフト値を決定し、さらに、送信する必要があるＵＣＩを決定し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１５０】
任意選択で、実施例として、該送受信機６２０は、該ネットワークデバイスにより送信された該上り制御チャネルシーケンスの構成を受信するように構成される。
【０１５１】
任意選択で、実施例として、該プロセッサ６１０は、該上り制御チャネルシーケンスの構成に基づいて、モジュロ演算により該少なくとも２つのサイクリックシフト値を決定するように構成される。
【０１５２】
2021510023.tif 000060
【０１５３】
任意選択で、実施例として、該上り制御チャネルシーケンスの構成が、さらにホッピングパラメータを含む。
【０１５４】
2021510023.tif 000061
【０１５５】
任意選択で、実施例として、該プロセッサ６１０は、フィードバックされたデータブロックの数に基づいて、該サイクリックシフト差分値及び/又は該サイクリックシフト値の数を決定するように構成される。
【０１５６】
任意選択で、実施例として、該上り制御チャネルシーケンスは、制御情報が搬送されるシーケンスである。
【０１５７】
任意選択で、実施例として、該プロセッサ６１０は、該少なくとも２つのサイクリックシフト値からＵＣＩに対応する目標サイクリックシフト値を決定し、該目標サイクリックシフト値に基づいて、対応する目標上り制御チャネルシーケンスを決定するように構成され、該送受信機６２０は、該ネットワークデバイスに該目標上り制御チャネルシーケンスを送信するように構成され、該目標上り制御チャネルシーケンスは、該ＵＣＩを示す。
【０１５８】
任意選択で、実施例として、該少なくとも２つのサイクリックシフト値は、該ＵＣＩの少なくとも２つの状態に一対一対応する。
【０１５９】
任意選択で、実施例として、該プロセッサ６１０は、該少なくとも２つのサイクリックシフト値からＵＣＩの目標状態に対応する該目標サイクリックシフト値を決定するように構成される。
【０１６０】
任意選択で、実施例として、該ＵＣＩの該少なくとも２つの状態が第１の状態を含み、該初期サイクリックシフト値が該第１の状態に対応する。
【０１６１】
なお、本発明の実施形態による端末デバイス６００は、本発明の実施形態による端末デバイス４００に対応し、本発明の実施形態による方法２００を実行するための対応する主体に対応し、端末デバイス６００における各ユニットの上記及びその他の動作及び/又は機能は、それぞれ図１乃至図３における各方法における端末デバイスの対応するフローを実現するために、簡潔のためにここで説明を省略する。
【０１６２】
そして、本願の実施例における端末デバイスは、上り制御チャネルシーケンスの構成を決定し、該上り制御チャネルシーケンスの構成に含まれる初期サイクリックシフト値、サイクリックシフト差分値及びサイクリックシフト値の数のうちの少なくとも１つに基づいて、モジュロ演算により上り制御チャネルシーケンスの少なくとも２つのサイクリックシフト値を決定し、さらに、送信する必要があるＵＣＩに対応する目標サイクリックシフト値を決定し、該目標サイクリックシフト値を利用して上り制御チャネルシーケンスを送信し、このように、少ない構成で複数のサイクリックシフト値を決定することができ、ＰＵＣＣＨの構成セットを減少させ、物理層オーバーヘッドを減少させ、限られた物理層指示オーバーヘッドの下でＰＵＣＣＨリソース構成の柔軟性を増加させることができる。
【０１６３】
本明細書に記載の方法の実施形態は、プロセッサに適用されてもよく、またはプロセッサによって実装されてもよいことに留意されたい。プロセッサは、信号の処理能力を有する集積回路チップであり得る。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１６４】
本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。限定ではなく例として、ＲＡＭは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、ダブルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ Ｄｙｎａｍｉｃ Ｒａｎｄｏｍ Ａｃｃｅｓｓ Ｍｅｍｏｒｙ ( ｅｎｈａｎｃｅｄ ＳＤＲＡＭ、ＥＳＤＲＡＭ )、同期接続ダイナミックランダムアクセスメモリ( ｓｙｎｃｈｌｉｎｋ ＤＲＡＭ、ＳＬＤＲＡＭ )、及びダイレクトメモリバスランダムアクセスメモリ( ｄｉｒｅｃｔ ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１６５】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１６６】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１６７】
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６８】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１６９】
また、本発明の各実施例における各機能部は、１つの処理部に集積されてもよいし、各部は、物理的に別個に存在してもよいし、２つ以上の部が１つの部に集積されてもよい。
【０１７０】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。また、前記記憶媒体としては、U-ディスク、リムーバブルハードディスク、リードオンリーメモリ( ＲＯＭ )、ランダムアクセスメモリ( ＲＡＭ)、磁気ディスク、光ディスク等のプログラムコードを記憶できる種々の媒体を包含する。
【０１７１】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲の保護範囲に準ずるものとする。
【手続補正２】
【補正対象書類名】特許請求の範囲
【補正対象項目名】全文
【補正方法】変更
【補正の内容】
【特許請求の範囲】
【請求項１】
上り制御チャネルシーケンスの構成に基づいて、サイクリックシフト値を決定することと、
決定されたサイクリックシフト値に基づいて端末デバイスから上り制御情報（ＵＣＩ）を受信することとを含み、
サイクリックシフト値は、上り制御チャネルシーケンスの少なくとも２つのサイクリックシフト値のうちの１つであり、
前記上り制御チャネルシーケンスの構成が、初期サイクリックシフト値、サイクリックシフト差分値及びサイクリックシフト値の数のうちの少なくとも１つを含む
ことを特徴とする制御情報を伝送するための方法。
【請求項２】
前記端末デバイスの上り制御チャネルシーケンスの構成を決定した後、前記方法は、さらに、
前記端末デバイスに初期サイクリックシフト値、サイクリックシフト差分値及びサイクリックシフト値の数のうちの少なくとも１つを送信することを含む
ことを特徴とする請求項１に記載の制御情報を伝送するための方法。
【請求項３】
前記上り制御チャネルシーケンスの構成に基づいて、前記サイクリックシフト値を決定することは、
前記上り制御チャネルシーケンスの構成に基づいて、モジュロ演算によりサイクリックシフト値を決定することを含む
ことを特徴とする請求項１又は２に記載の制御情報を伝送するための方法。
【請求項４】
前記上り制御チャネルシーケンスの構成は、さらに、ホッピングパラメータを含む
ことを特徴とする請求項３に記載の制御情報を伝送するための方法。
【請求項５】
前記ＵＣＩがＡＣＫ／ＮＡＣＫ情報を含み、前記端末デバイスが前記ＡＣＫ / ＮＡＣＫ情報の1ビットをフィードバックする必要がある場合、前記上り制御チャネルシーケンスの前記少なくとも２つのサイクリックシフト値は、２つのサイクリックシフト値を含み、ここで、
０番目のサイクリックシフト値φ(0) = (α+0+h)modNであり、
１番目のサイクリックシフト値φ(1) = (α+6+h)modNであり、
α及びＮが整数であり、αが前記初期サイクリックシフト値を示し、Ｎが前記上り制御チャネルシーケンがサイクリックシフト可能な個数を表し、hは前記ホッピングパラメータに応じて定められるホッピング数を表し、０≦α≦Ｎ、０≦h≦Ｎである
ことを特徴とする請求項４に記載の制御情報を伝送するための方法。
【請求項６】
前記ＵＣＩがＡＣＫ／ＮＡＣＫ情報を含み、前記端末デバイスが２ビットを利用して前記ＡＣＫ / ＮＡＣＫ情報をフィードバックする必要がある場合、前記上り制御チャネルシーケンスの前記少なくとも２つのサイクリックシフト値は、４つのサイクリックシフト値を含み、ここで、
０番目のサイクリックシフト値φ(0)=(α+0+h)modNであり、
１番目のサイクリックシフト値φ(1)=(α+3+h)modNであり、
２番目のサイクリックシフト値φ(2)=(α+6+h)modNであり、
３番目のサイクリックシフト値φ(3)=(α+9+h)modNであり、
α及びＮが整数であり、αが前記初期サイクリックシフト値を示し、Ｎが前記上り制御チャネルシーケンがサイクリックシフト可能な個数を表し、hは前記ホッピングパラメータに応じて定められるホッピング数を表し、０≦α≦Ｎ、０≦h≦Ｎである
ことを特徴とする請求項４に記載の制御情報を伝送するための方法。
【請求項７】
2021510023.tif 000062
α、i、δ及びＮが整数であり、αが前記初期サイクリックシフト値を示し、δが前記サイクリックシフト差分値を示し、Ｎが前記上り制御チャネルシーケンがスサイクリックシフト可能な個数を表し、hは前記ホッピングパラメータに応じて定められるホッピング数を表し、０≦α≦Ｎ、０≦i≦Ｎ、０≦δ≦Ｎ、０≦h≦Ｎである
ことを特徴とする請求項４に記載の制御情報を伝送するための方法。
【請求項８】
前記ＵＣＩがＡＣＫ／ＮＡＣＫ情報を含み、前記端末デバイスが前記ＡＣＫ / ＮＡＣＫ情報の１ビットをフィードバックする必要がある場合、前記上り制御チャネルシーケンスの前記少なくとも２つのサイクリックシフト値は、２つのサイクリックシフト値を含み、iが０又は１であり、δが６である
ことを特徴とする請求項７に記載の制御情報を伝送するための方法。
【請求項９】
前記ＵＣＩがＡＣＫ／ＮＡＣＫ情報を含み、前記端末デバイスが前記ＡＣＫ / ＮＡＣＫ情報の２ビットをフィードバックする必要がある場合、前記上り制御チャネルシーケンスの前記少なくとも２つのサイクリックシフト値は、４つのサイクリックシフト値を含み、iが０、１、２又は３であり、δが３である
ことを特徴とする請求項７に記載の制御情報を伝送するための方法。
【請求項１０】
上り制御チャネルシーケンスの構成を決定することと、
前記上り制御チャネルシーケンスの構成に基づいて、前記上り制御チャネルシーケンスの少なくとも２つのサイクリックシフト値を決定することと、
前記サイクリックシフト値のうちの少なくとも１つを利用して、ネットワークデバイスに上り制御情報を送信することとを含み、
前記上り制御チャネルシーケンスの構成が、初期サイクリックシフト値、サイクリックシフト差分値及びサイクリックシフト値の数のうちの少なくとも１つを含む
ことを特徴とする端末デバイスが制御情報を送信する方法。
【請求項１１】
前記上り制御チャネルシーケンスの構成を決定することは、
前記ネットワークデバイスにより送信された前記上り制御チャネルシーケンスの構成を受信することを含む
ことを特徴とする請求項１０に記載の方法。
【請求項１２】
前記上り制御チャネルシーケンスの構成に基づいて、前記上り制御チャネルシーケンスの少なくとも２つのサイクリックシフト値を決定することは、
前記上り制御チャネルシーケンスの構成に基づいて、モジュロ演算により前記少なくとも２つのサイクリックシフト値を決定することを含む
ことを特徴とする請求項１０又は１１に記載の方法。
【請求項１３】
前記上り制御チャネルシーケンスの構成は、さらに、ホッピングパラメータを含む
ことを特徴とする請求項１２に記載の方法。
【請求項１４】
前記ＵＣＩがＡＣＫ／ＮＡＣＫ情報を含み、前記端末デバイスが前記ＡＣＫ / ＮＡＣＫ情報の1ビットをフィードバックする必要がある場合、前記上り制御チャネルシーケンスの前記少なくとも２つのサイクリックシフト値は、２つのサイクリックシフト値を含み、ここで、
０番目のサイクリックシフト値φ(0) = (α+0+h)modNであり、
１番目のサイクリックシフト値φ(1) = (α+6+h)modNであり、
α及びＮが整数であり、αが前記初期サイクリックシフト値を示し、Ｎが前記上り制御チャネルシーケンがサイクリックシフト可能な個数を表し、hは前記ホッピングパラメータに応じて定められるホッピング数を表し、０≦α≦Ｎ、０≦h≦Ｎである
ことを特徴とする請求項１３に記載の方法。
【請求項１５】
前記ＵＣＩがＡＣＫ／ＮＡＣＫ情報を含み、前記端末デバイスが２ビットを利用して前記ＡＣＫ / ＮＡＣＫ情報をフィードバックする必要がある場合、前記上り制御チャネルシーケンスの前記少なくとも２つのサイクリックシフト値は、４つのサイクリックシフト値を含み、ここで、
０番目のサイクリックシフト値φ(0)=(α+0+h)modNであり、
１番目のサイクリックシフト値φ(1)=(α+3+h)modNであり、
２番目のサイクリックシフト値φ(2)=(α+6+h)modNであり、
３番目のサイクリックシフト値φ(3)=(α+9+h)modNであり、
α及びＮが整数であり、αが前記初期サイクリックシフト値を示し、Ｎが前記上り制御チャネルシーケンがサイクリックシフト可能な個数を表し、hは前記ホッピングパラメータに応じて定められるホッピング数を表し、０≦α≦Ｎ、０≦h≦Ｎである
ことを特徴とする請求項１３に記載の方法。
【請求項１６】
2021510023.tif 000063
α、i、δ及びＮが整数であり、αが前記初期サイクリックシフト値を示し、δが前記サイクリックシフト差分値を示し、Ｎが前記上り制御チャネルシーケンがサイクリックシフト可能な個数を表し、hは前記ホッピングパラメータに応じて定められるホッピング数を表し、０≦α≦Ｎ、０≦i≦Ｎ、０≦δ≦Ｎ、０≦h≦Ｎである
ことを特徴とする請求項１３に記載の方法。
【請求項１７】
前記ＵＣＩがＡＣＫ／ＮＡＣＫ情報を含み、前記端末デバイスが前記ＡＣＫ / ＮＡＣＫ情報の１ビットをフィードバックする必要がある場合、前記上り制御チャネルシーケンスの前記少なくとも２つのサイクリックシフト値は、２つのサイクリックシフト値を含み、iが０又は１であり、δが６である
ことを特徴とする請求項１６に記載の方法。
【請求項１８】
前記ＵＣＩがＡＣＫ／ＮＡＣＫ情報を含み、前記端末デバイスが前記ＡＣＫ / ＮＡＣＫ情報の２ビットをフィードバックする必要がある場合、前記上り制御チャネルシーケンスの前記少なくとも２つのサイクリックシフト値は、４つのサイクリックシフト値を含み、iが０、１、２又は３であり、δが３である
ことを特徴とする請求項１６に記載の方法。
【請求項１９】
請求項１〜９のいずれか１項に記載の制御情報を伝送するための方法を実行する
ことを特徴とするネットワークデバイス。
【請求項２０】
請求項１０〜１８のいずれか１項に記載の制御情報を伝送するための方法を実行する
ことを特徴とするネットワークデバイス。
【手続補正３】
【補正対象書類名】図面
【補正対象項目名】全図
【補正方法】変更
【補正の内容】
【図１】
2021510023.tif 000064
【図２】
2021510023.tif 000065
【図３】
2021510023.tif 000066
【図４】
2021510023.tif 000067
【図５】
2021510023.tif 000068
【図６】
2021510023.tif 000069
【図７】
2021510023.tif 000070
【国際調査報告】
2021510023.tif 000071
2021510023.tif 000072
2021510023.tif 000073
2021510023.tif 000074